(57)【要約】【課題】作業者又は対象物の除塵をし、かつ害虫の侵入を防止する。【解決手段】エアシャワー装置２０は、エアシャワー室２１内に、エアシャワー室２１内の作業者１２、植物６又は資材１３に対して送風するためのエア吹き出し口（送風口）３が設けられており、エアシャワー室２１内に、ＬＥＤ素子４２と、ＬＥＤ素子４２によって誘引された害虫７を捕獲するための透明粘着シート４４とを備えた補虫機構４０が配されている。【選択図】図１
2013118823.tif 000002
【特許請求の範囲】
【請求項１】
室内に、当該室内の作業者又は対象物に対して送風するための送風口が設けられた除塵装置であって、
上記室内に、光源と、当該光源によって誘引された虫を捕獲するための捕獲部とを備えた補虫機構が配されていることを特徴とする除塵装置。
【請求項２】
上記室内は、植物工場の前室であり、
上記室内から、上記植物工場に向う際に通過する第１の扉と、上記室内から上記植物工場の外部に向う際に通過する第２の扉とを備えていることを特徴とする請求項１に記載の除塵装置。
【請求項３】
上記光源は、紫外光を発光することを特徴とする請求項２に記載の除塵装置。
【請求項４】
上記光源は、波長３１５ｎｍ以上４００ｎｍ以下にピークを有する紫外光を発光することを特徴とする請求項３に記載の除塵装置。
【請求項５】
上記光源は、波長３４０ｎｍ以上３７０ｎｍ以下にピークを有する紫外光を発光することを特徴とする請求項３に記載の除塵装置。
【請求項６】
上記光源は、上記紫外光を発光する第１の光源と、青色光又は黄色光の少なくとも一方を発光する第２の光源とを有することを特徴とする請求項４又は５に記載の除塵装置。
【請求項７】
上記光源は、上記紫外光を発光する第１の光源と、波長２８０ｎｍ以上３１５ｎｍ未満にピークを有する紫外光を発光する第３の光源とを有することを特徴とする請求項４又は５に記載の除塵装置。
【請求項８】
上記作業者又は上記対象物が上記植物工場へ入る際、上記光源は、上記第２の扉が閉じた後に点灯することを特徴とする請求項２〜７の何れか１項に記載の除塵装置。
【請求項９】
上記光源は、上記送風口が送風を開始してから点灯することを特徴とする請求項２〜５の何れか１項に記載の除塵装置。
【請求項１０】
上記第２の扉には窓が設けられており、当該窓は紫外線カット機能を有し、
上記作業者又は上記対象物が上記植物工場へ入る際、
上記送風口は、上記第２の扉が開閉してから送風を開始し、一定期間経過後、上記第１の扉が開く前に送風を停止し、
上記第１及び第２の光源は、上記送風口が送風を開始してから点灯し、
上記第２の光源は、上記第１の扉が開く前に消灯し、
上記第１の光源は上記第１の扉が開閉した後に消灯することを特徴とする請求項６に記載の除塵装置。
【請求項１１】
上記対象物が上記植物工場へ入る際、
上記対象物が植物であれば、上記第１及び第３の光源のうち、第１の光源のみを点灯してから消灯し、
上記対象物が物であれば、上記第１及び第３の光源の両方を点灯してから消灯することを特徴とする請求項７に記載の除塵装置。
【請求項１２】
上記第１及び第２の扉にはそれぞれ窓が設けられており、それぞれの当該窓は紫外線カット機能を有し、
上記送風口は、上記第２の扉が開閉してから送風を開始し、一定期間経過後、上記第１の扉が開く前に送風を停止し、
上記第３の光源は、上記第２の扉が開閉した後、上記送風口が送風を開始する前に点灯し、上記送風口が送風を停止した後、上記第１の扉が開く前に消灯し、
上記第１の光源は、上記送風口が送風を開始してから点灯し、上記第２の扉が開閉した後に消灯することを特徴とする請求項１１に記載の除塵装置。
【請求項１３】
上記作業者又は対象物が、上記植物工場から外部へ出る際、
上記第１の扉が開閉し、一定期間経過後、上記第２の扉が開閉し、上記送風口は送風せず、
上記光源は、開いた上記第１の扉が閉じる前に点灯し、上記第２の扉が開く前に消灯することを特徴とする請求項２〜５の何れか１項に記載の除塵装置。
【請求項１４】
請求項１〜１３の何れか１項に記載の除塵装置を備えていることを特徴とするエアシャワー装置。
【請求項１５】
請求項１〜１３の何れか１項に記載の除塵装置を備えていることを特徴とするパスボックス装置。
【発明の詳細な説明】
【技術分野】
【０００１】
本発明は、エアシャワー装置やパスボックス装置等の除塵装置に関する。
【背景技術】
【０００２】
飛翔性の害虫が、室内へ侵入することを防止するための補虫器が知られている。図２１（ａ）は特許文献１に記載された補虫器を備えた害虫防除装置の斜視図であり、（ｂ）は（ａ）の害虫防除装置の配置例を示す斜視図である。
【０００３】
図２１（ａ）（ｂ）に示すように、害虫防除装置１０１は、補虫器１０５と、遮光部１０６とを備えている。補虫器１０５は、光源１０３と、捕獲部１０４と、筐体１５０とを備えている。
【０００４】
光源１０３は、開口部１５１を有する筐体１５０の内部に配されている。光源１０３は、波長が略３４０ｎｍ〜３８０ｎｍの汎用の補虫器用蛍光灯（ＵＶ‐Ａランプ）等である。
【０００５】
捕獲部１０４は粘着シートにより害虫を捕獲するものである。捕獲部１０４は、筐体１５０の下部に、筐体１５０に沿って配されている。
【０００６】
遮光部１０６は、筐体１５０の開口部１５１の上端から前方へ突出するように配置された薄板材である。遮光部１０６は、光源１０３から出射された光を下方に向けて反射させるためのものである。
【０００７】
害虫防除装置１０１は、室内であって、室開口部１０７の近傍に配されている。光源１０３によって誘引された害虫１０２は、捕獲部１０４によって捕獲される。
【０００８】
さらに、害虫防除装置１０１は、遮光部１０６を備えているので、光源１０３から出射した光は、遮光部１０６で下方に反射される。これにより、光源１０３の光が室内の下方にも届き、室内の下方を飛翔する害虫１０２も誘引し、捕獲部１０４で捕獲することができる構成となっている。
【０００９】
特許文献２〜４には、入室する作業者に、エアシャワーの吹き出し口から出力される風を吹きかけるための構成が開示されている。これにより、作業者に付着した害虫及び塵を除去し、室内への害虫の侵入を防止及び除塵を行っている。
【００１０】
また、近年、ビニールハウスやガラスハウス等よりも気密性が高い植物工場で植物の栽培がなされている。このような植物工場では、飛翔性の害虫の内部へ侵入予防及び除塵のために、半導体の製造工場で用いられているようなエアシャワーや、パスボックスを設置している。
【００１１】
この、半導体の製造工場で用いられているようなエアシャワーやパスボックスでは、壁によって外部と仕切られた室内に、複数の送風口配されている。そして、エアシャワー又はパスボックスの室内に入室した作業者又はワーク（植物や資材等）に対して、一定時間、風を吹きかける。その後、作業者又はワークを、植物が栽培されている植物工場内へ入室させる。これにより、高い除塵及び防虫効果を得ている。
【先行技術文献】
【特許文献】
【００１２】
【特許文献１】特開２００８‐１５４５１９号（２００８年７月１０日公開）
【特許文献２】特開２００３‐１６１４８９号（２００３年６月６日公開）
【特許文献３】特開２０１０‐１８１１２４号（２０１０年８月１９日公開）
【特許文献４】特開２０１０‐２４２９９３号（２０１０年１０月２８日公開）
【発明の概要】
【発明が解決しようとする課題】
【００１３】
しかし、エアシャワーやパスボックスの風により飛ばされた害虫の多くはエアシャワーやパスボックス内に留まり、次に植物工場の扉を開けた際に、植物工場内に侵入してしまう危険性が高い。
【００１４】
これについて、図２２を用いて説明する。
【００１５】
図２２は、パスボックスに留まった害虫が、植物工場内に侵入する課題を説明する図である。
【００１６】
図２２の（ａ）に示すように、植物工場２０１内にはさまざまな植物２０６が栽培されている。そして、植物工場２０１の前室にパスボックス２０２が配されている。パスボックス２０２の壁には複数のエア吹き出し口２０３が配されている。また、植物工場２０１とパスボックス２０２とを仕切る壁には扉２０９が配されている。
【００１７】
まず、パスボックス２０２内に、害虫２０７が付着した植物２１２が作業者によって入れられる。
【００１８】
次に、図２２の（ｂ）に示すように、エア吹き出し口２０３から、植物２１２に対してエアが吹きかけられる。これにより、植物２１２に付着していた害虫２０７が植物２１２から離れる。
【００１９】
そして、図２２の（ｃ）に示すように、扉２０９を開閉することで、パスボックス２０２内の植物２１２は、作業者により、植物工場２０１内に入れられる。この際、害虫２０７は、パスボックス２０２内で生存している。
【００２０】
次に、図２２の（ｄ）に示すように、植物工場２０１内の植物２０６を外に出したい場合等、植物工場２０１内の植物２０６をパスボックス２０２に入れるため、扉２０９を開ける。すると、このタイミングで、パスボックス２０２内で生存していた害虫２０７が、植物工場２０１内に入る可能性がある。
【００２１】
エアシャワーや、パスボックスは、従来、半導体の製造工場用に製造されていたため、害虫を誘引及び捕殺する機能を有していない。
【００２２】
これは、半導体の製造工場では、万一、害虫が工場内に侵入しても、工場内には餌が皆無な環境のため、生存及び繁殖もできず、餓死するのが通常だからである。
【００２３】
しかし、植物工場では、一度工場内に害虫が侵入すると、餌となる植物が豊富であり、かつ、天敵が皆無な環境のため、露地栽培よりも繁殖し易い環境となる。
【００２４】
このように、植物工場の前室に、半導体の製造工場で使用されているエアシャワーや、パスボックスを配するだけでは、植物工場内への害虫の侵入の防止対策として不十分である。
【００２５】
また、図２１（ａ）（ｂ）に示した害虫防除装置１０１は、害虫を誘引及び捕殺するためだけの装置であり、除塵することはできない。
【００２６】
本発明は、上記の問題点を解決するためになされたもので、その目的は、植物工場への防塵かつ害虫の侵入を防止することである。
【課題を解決するための手段】
【００２７】
上記課題を解決するために、本発明の除塵装置は、室内に、当該室内の作業者又は対象物に対して送風するための送風口が設けられた除塵装置であって、上記室内に、光源と、当該光源によって誘引された虫を捕獲するための捕獲部とを備えた補虫機構が配されていることを特徴としている。
【００２８】
上記構成によると、上記送風口からの送風により、上記室内の作業者又は対象物に付着した塵及び虫を取り除くことができる。さらに、上記構成によると、上記室内には上記補虫機構が配されているので、上記光源により、上記作業者や上記対象物に付着している虫や、上記室内に飛翔している虫を誘引し、上記捕獲部により捕獲することができる。これにより、作業者又は対象物の除塵をし、かつ害虫の侵入を防止することができる。
【００２９】
また、上記室内は、植物工場の前室であり、上記室内から、上記植物工場に向う際に通過する第１の扉と、上記室内から上記植物工場の外部に向う際に通過する第２の扉とを備えていることが好ましい。上記構成により、上記第１及び第２の扉を通過して、上記植物工場への出入りを行うことができる。
【００３０】
また、上記光源は、紫外光を発光することが好ましい。上記構成により、例えば、昆虫等、多数種類の虫を上記光源により誘引することができ、これにより、当該虫を捕獲することができる。
【００３１】
また、上記光源は、波長３１５ｎｍ以上４００ｎｍ以下にピークを有する紫外光を発光することが好ましい。上記構成により、虫の誘引効率を向上させることができる。
【００３２】
また、上記光源は、波長３４０ｎｍ以上３７０ｎｍ以下にピークを有する紫外光を発光することが好ましい。上記構成により、さらに、虫の誘引効率を向上させることができる。
【００３３】
また、上記光源は、上記紫外光を発光する第１の光源と、青色光又は黄色光の少なくとも一方を発光する第２の光源とを有することが好ましい。上記構成により、誘引する虫の種類の向上させることができ、確実に虫を捕獲することができる。
【００３４】
また、上記光源は、上記紫外光を発光する第１の光源と、波長２８０ｎｍ以上３１５ｎｍ未満にピークを有する紫外光を発光する第３の光源とを有することが好ましい。上記構成によると、上記第３の光源により、虫の誘引効率を向上させると共に、除菌することもできる。
【００３５】
また、上記作業者又は上記対象物が上記植物工場へ入る際、上記光源は、上記第２の扉が閉じた後に点灯することが好ましい。上記構成によると、上記室内の外にいる外部の虫が、上記光源の光により誘引され、上記室内に入ることを防止することができる。これにより、上記植物工場への虫の侵入を防止することができる。
【００３６】
また、上記光源は、上記送風口が送風を開始してから点灯することが好ましい。上記構成により、上記送風口からの送風により飛ばされた虫を、上記光源により誘引し、上記捕獲部により捕獲することができる。このため、上記虫の捕獲効率がよく、上記作業者又は上記対象物に付着した虫を取り除くための時間を短縮することができる。
【００３７】
また、上記第２の扉には窓が設けられており、当該窓は紫外線カット機能を有し、上記作業者又は上記対象物が上記植物工場へ入る際、上記送風口は、上記第２の扉が開閉してから送風を開始し、一定期間経過後、上記第１の扉が開く前に送風を停止し、上記第１及び第２の光源は、上記送風口が送風を開始してから点灯し、上記第２の光源は、上記第１の扉が開く前に消灯し、上記第１の光源は上記第１の扉が開閉した後に消灯することが好ましい。
【００３８】
上記構成によると、上記第１の光源は、上記送風口が送風をしている間点灯しているので、上記作業者又は上記対象物に付着している虫を効率よく、誘引及び捕獲することができる。さらに、上記構成によると、上記第１の光源は、上記第１の扉が開閉した後に消灯しているので、上記植物工場に虫が侵入していた場合、当該虫を上記室内に誘引することができる。このため、上記植物工場に虫が侵入していたとしても、当該虫を除去することができる。
【００３９】
さらに、上記第２の光源は、上記第１及び第２の扉が閉じている間だけ、点灯しているので、上記第２の光源により、上記室内の外から虫が誘引されることを防止することができる。
【００４０】
また、上記対象物が上記植物工場へ入る際、上記対象物が植物であれば、上記第１及び第３の光源のうち、第１の光源のみを点灯してから消灯し、上記対象物が物であれば、上記第１及び第３の光源の両方を点灯してから消灯することが好ましい。
【００４１】
上記構成により、上記植物に対する、上記第３の光源から出射光の照射を防止することができる。これにより、上記植物の成長に悪影響が及ぶことを防止することができる。また、上記物の除菌効果を得ることができる。
【００４２】
また、上記第１及び第２の扉にはそれぞれ窓が設けられており、それぞれの当該窓は紫外線カット機能を有し、上記送風口は、上記第２の扉が開閉してから送風を開始し、一定期間経過後、上記第１の扉が開く前に送風を停止し、上記第３の光源は、上記第２の扉が開閉した後、上記送風口が送風を開始する前に点灯し、上記送風口が送風を停止した後、上記第１の扉が開く前に消灯し、上記第１の光源は、上記送風口が送風を開始してから点灯し、上記第１の扉が開閉した後に消灯することが好ましい。
【００４３】
上記構成によると、上記第３の光源は、上記送風口が送風を停止した後、上記第１の扉が開く前に消灯する。これにより、上記外部にいる作業者への、上記第３の光源からの出射光による悪影響を防止することができる。そして、上記第１の光源は、上記送風口が送風を開始してから点灯し、上記第２の扉が開閉した後に消灯するので、上記植物工場に害虫が侵入していたとしても、上記第１の光源により誘引し、植物工場から害虫を除去することができる。
【００４４】
また、上記作業者又は対象物が、上記植物工場から外部へ出る際、上記第１の扉が開閉し、一定期間経過後、上記第２の扉が開閉し、上記送風口は送風せず、上記光源は、開いた上記第１の扉が閉じる前に点灯し、上記第２の扉が開く前に消灯することが好ましい。
【００４５】
上記構成によると、上記光源は、上記第１の扉が閉じる前に点灯するので、上記植物工場に虫が侵入していた場合、当該虫を、上記光源からの出射光により、上記室内に誘引することができる。このため、上記植物工場に虫が侵入していた場合でも、当該虫を除去することができる。
【００４６】
また、本発明のエアシャワー装置は、上記除塵装置を備えていることが好ましい。これにより、植物工場への除塵かつ害虫の侵入を防止することができるエアシャワー装置を得ることができる。
【００４７】
また、本発明のパスボックス装置は、上記除塵装置を備えていることが好ましい。これにより、植物工場への除塵かつ害虫の侵入を防止することができるパスボックス装置を得ることができる。
【発明の効果】
【００４８】
本発明の除塵装置は、室内に、当該室内の作業者又は対象物に対して送風するための送風口が設けられた除塵装置であり、上記室内に、光源と、当該光源によって誘引された虫を捕獲するための捕獲部とを備えた補虫機構が配されている。これにより、作業者又は対象物の除塵をし、かつ害虫の侵入を防止することができるという効果を奏する。
【図面の簡単な説明】
【００４９】
【図１】第１の実施の形態にかかるエアシャワー装置の構成を表す平面図である。
【図２】エアシャワー室の構成を表す斜視図である。
【図３】補虫機構の構成を表す図である。
【図４】エアシャワー装置の構成を表すブロック図である。
【図５】外部から植物工場へ入室する場合のエアシャワー装置の処理の流れを表すフローチャートである。
【図６】植物工場から外部へ退室する場合のエアシャワー装置の処理の流れを表すフローチャートである。
【図７】第１の実施の形態にかかるパスボックス装置の構成を表す平面図である。
【図８】補虫機構の第１の変形例の構成を表す図である。
【図９】補虫機構の第２の変形例の構成を表す図である。
【図１０】エアシャワー装置の変形例の構成を表す斜視図である。
【図１１】第２の実施の形態に係るエアシャワー装置の構成を表す平面図である。
【図１２】第２の実施形態の補虫機構の構成を表す斜視図である。
【図１３】エアシャワー装置の構成を表すブロック図である。
【図１４】外部から植物工場へ入室する場合のエアシャワー装置の処理の流れを表すフローチャートである。
【図１５】植物工場から外部へ退室する場合のエアシャワー装置の処理の流れを表すフローチャートである。
【図１６】第３の実施の形態に係るパスボックス装置の構成を表す平面図である。
【図１７】第３の実施形態の補虫機構の構成を表す斜視図である。
【図１８】パスボックス装置の構成を表すブロック図である。
【図１９】外部から植物工場へ資材又は植物を搬入する場合のパスボックス装置の処理の流れを表すフローチャートである。
【図２０】植物工場から外部へ資材又は植物を搬出する場合のパスボックス装置の処理の流れを表すフローチャートである。
【図２１】（ａ）は従来の補虫器を備えた害虫防除装置の斜視図であり、（ｂ）は（ａ）の害虫防除装置の配置例を示す斜視図である。
【図２２】パスボックスに留まった害虫が、植物工場内に侵入する課題を説明する図である。
【発明を実施するための形態】
【００５０】
〔実施の形態１〕
本発明の第１の実施の形態について図１〜図１０に基づいて説明すれば以下のとおりである。
【００５１】
（エアシャワー装置２０の構成）
図１は、第１の実施の形態にかかるエアシャワー装置２０の構成を表す平面図である。
【００５２】
本発明では、植物工場１の前室に、半導体の製造工場で用いられているようなエアシャワー装置（除塵装置）２０又はパスボックス装置（除塵装置）５０（後述する）を配している。エアシャワー装置２０は、主に、植物工場１へ出入りする作業者（人）１２等の人の除塵及び害虫の除去を目的とするものである。一方、パスボックス装置５０は、植物工場１へ出し入れする資材（対象物；物）や植物（対象物）６等の除塵及び害虫の除去を目的とするものである。
【００５３】
まず、図１等を用いて、エアシャワー装置２０の構成について説明する。
【００５４】
図１に示すように、エアシャワー装置２０は、植物工場１と隣接して配されている。
【００５５】
植物工場１は、ビニールハウスやガラスハウス等よりも気密性が高く、人が内部で作業することが可能な程度の広さを有する。植物工場１内では、さまざまな植物６が栽培されている。
【００５６】
エアシャワー装置２０は、エアシャワー（室）室２１と、エア吹き出し口（送風口）３と、補虫機構４０と、制御装置３０とを備えている。
【００５７】
エアシャワー室（室）２１は、植物工場１の前室であって、植物工場１と隣接して配されている。エアシャワー室２１は、作業者１２が入室できる程度の大きさの部屋である。
【００５８】
エア吹き出し口３は、エアシャワー室２１に入室した作業者１２に対してジェットエアー５を送風するためのものである。補虫機構４０は光源から誘引光８を出射することでエアシャワー室２１内の害虫７を誘引すると共に、当該誘引された害虫７を捕獲するためのものである。
【００５９】
制御装置３０は、エアシャワー室２１のうち植物工場１側の壁２２に配された扉（第１の扉）９、及び外部側の壁２３に配された扉（第２の扉）１０の駆動制御、エア吹き出し口３の駆動制御、及び補虫機構４０の誘引光８の点灯及び消灯を制御したりするための制御部である。
【００６０】
（エアシャワー室２１の構成）
次に、図１、図２を用いて、エアシャワー室２１の構成について説明する。図２はエアシャワー室２１の構成を表す斜視図である。
【００６１】
図１、図２に示すように、エアシャワー室２１は、エアシャワー室２１の室内と植物工場１の室内とを仕切る壁２２と、壁２２と対向しエアシャワー室２１の室内と外部とを仕切る壁２３と、互いに離間して対向し壁２２及び壁２３を接続する壁２４及び壁２５と、を備えている。エアシャワー室２１は、壁２２・２３・２４・２５と、床及び天井によって、外部の空間と仕切られた空間となっている。
【００６２】
壁２２には、植物工場１側の扉９と、複数のエア吹き出し口３とが配されている。扉９には窓９ａが配されている。また、壁２３には、外部側の扉１０と、複数のエア吸気口２６と、複数の補虫機構４０とが配されている。
【００６３】
このように、エアシャワー室２１は、植物工場１の前室であり、植物工場１と隣接して配されている。そして、壁２２に、エアシャワー室２１から植物工場１へ入室する際に通過する扉９が配されている。また、壁２３に、エアシャワー室２１から外部へ向かう際に通過する扉１０が配されている。作業者１２は、この扉９・１０を通って、外部と植物工場１内とを出入りすることができる。
【００６４】
扉１０には窓１０ａが配されている。窓１０ａは紫外線カット機能を有しており、一例としてＵＶカットガラスである。
【００６５】
このように、外部側の扉１０に配されている窓１０ａをＵＶカットガラスから構成することで、外部を飛来している害虫７が、窓１０ａを透過した誘引光８（エアシャワー室２１内の反射光も含む）に誘引され、エアシャワー室２１近傍に飛来することを防止することができる。すなわち、外部を飛来する害虫７のエアシャワー室２１内への侵入を防止することができる。
【００６６】
一方、窓９ａは紫外線カット機能を有していないことが好ましい。このように、植物工場１側の扉９に配された窓９ａを、通常の、ＵＶカット機能を有さないガラスから構成することで、植物工場１を飛来している害虫７が、窓９ａを透過した誘引光８に誘引され、エアシャワー室２１近傍へ飛来させることができる。すなわち、植物工場１内を飛来する害虫７をエアシャワー室２１内に侵入させることで、植物工場１から除去することができる。
【００６７】
エア吹き出し口３は、植物工場１側の壁２２に複数配されている。エア吹き出し口３は、制御装置３０からの指示に基づいて、ジェットエアー５を植物工場側（すなわち壁２２側）から外部側（すなわち壁２３側）へ向けて送風する。すなわち、エアシャワー室２１内のうち、エア吹き出し口３が配されている壁２２側が気流の上流側である。
【００６８】
エア吹き出し口３のそれぞれから送風されるジェットエアー５によって、エアシャワー室２１に入室した作業者１２や資材等に付着した塵や害虫７等が吹き飛ばされる。これにより、植物工場１内への塵や害虫７の侵入を防止することができる。
【００６９】
なお、エア吹き出し口３は、エアシャワー室２１へ入室した作業者１２や資材等に対して、まんべんなく、ジェットエアー５を吹き付けることができればよく、エア吹き出し口３の個数や、壁２２における配置位置等は特に限定されない。
【００７０】
本実施の形態では、複数のエア吹き出し口３は、扉９を挟み、壁２２の全面にマトリクス状に配されている。
【００７１】
エア吸気口２６は、外部側の壁２３に複数配されている。エア吸気口２６は、エアシャワー室２１の室内の空気を吸気し、当該空気を外部へ出力する。すなわち、エアシャワー室２１内のうち、エア吸気口２６が配されている壁２３側が気流の下流側である。
【００７２】
エア吸気口２６は、エア吹き出し口３から送風されたジェットエアー５を吸気し、外部へ出力する。これにより、エアシャワー室２１内の気圧が高くなることを防止している。
【００７３】
なお、エア吸気口２６は、エアシャワー室２１内の気圧が上がりすぎること無く、エアシャワー室２１内の空気を外部に排気できればよく、エア吸気口２６の個数や、壁２３における配置位置等は特に限定されない。
【００７４】
本実施の形態では、複数のエア吸気口２６はまとまってエア吸気口２６形成領域に配されている。そして、扉１０を挟むそれぞれの領域の壁２３に、天井側から床側にかけて、補虫機構４０、エア吸気口２６形成領域、補虫機構４０、エア吸気口２６形成領域の順に配されている。すなわち、壁２３には、エア吸気口２６形成領域、及び補虫機構４０のそれぞれは４面ずつ配されている。
【００７５】
又は、例えば、エア吸気口２６形成領域及び補虫機構４０を１６面ずつ千鳥状に壁２３に配してもよい。
【００７６】
このように、補虫機構４０は、気流の下流側であり、植物工場１から最も遠い外部側の壁２３に配されている。これにより、植物工場１への害虫７の侵入を防止している。
【００７７】
エアシャワー室２１内には、補虫機構４０が備える光源以外にも、照明用の光源（不図示）が配されている。この照明用の光源は、補虫機構４０が備える光源が発光する誘引光８の誘引機能の低下を招かないように、紫外線を発光しない光源であることが好ましい。照明用の光源は、例えば、白色ＬＥＤ等から構成することが好ましい。
【００７８】
（補虫機構４０の構成）
次に、図３を用いて補虫機構４０の構成について説明する。図３は、補虫機構４０の構成を表す図である。
【００７９】
補虫機構４０は、上述したように、エアシャワー室２１の室内の気流の下流側となる壁２３に複数配されている。
【００８０】
補虫機構４０は、複数のＬＥＤ素子（光源）４２と、複数のＬＥＤ素子４２が配されているＬＥＤ基板４１と、拡散板等からなる光学シート４３と、透明粘着シート（捕獲部）４４とを備えている。
【００８１】
補虫機構４０は、壁２３側から順に、複数のＬＥＤ素子４２が配されているＬＥＤ基板４１、光学シート４３、及び透明粘着シート４４が積層されている。
【００８２】
ＬＥＤ基板４１は、制御装置３０からの指示に基づいて、ＬＥＤ基板４１に配されている複数のＬＥＤ素子４２を点灯させたり、消灯させたりするためのものである。ＬＥＤ基板４１の裏面（光学シート４３が配されている面とは逆側の面）は壁２３に貼り合わされている。
【００８３】
ＬＥＤ素子４２はＬＥＤ基板４１に複数、マトリクス状に実装されている。ＬＥＤ素子４２は害虫７が好む任意の波長の光を誘引光８（図１参照）として出射する。
【００８４】
ここで、一般的に昆虫のすう光性（昆虫複眼における分光感度）は３４０ｎｍ〜３７０ｎｍにピークを有することが多い。
【００８５】
このため、ＬＥＤ素子４２は、波長３１５ｎｍ〜４００ｎｍにピークを有する紫外線（ＵＶ‐Ａ）を誘引光８として出射することが好ましく、さらには、波長３４０ｎｍ〜３７０ｎｍにピークを有する紫外線を誘引光８として出射することが好ましい。これにより、昆虫のすう光性を利用し、エアシャワー室２１内の多数種類の害虫７を、確実に誘引し、捕獲することができる。
【００８６】
しかし、ＬＥＤ素子４２が誘引光８を常時点灯させていると扉１０を開けた際、外部にいる害虫７を、誘引光８によりエアシャワー室２１内に誘引してしまう可能性がある。このため、エアシャワー装置２０では、制御装置３０は扉９・１０の開閉やロック、又はエア吹き出し口３のジェットエアー５の送付開始や終了をトリガーとしてＬＥＤ素子４２の駆動を制御することで、誘引光８の点灯及び消灯を制御する。なお、これについての詳細な説明は後述する。
【００８７】
光学シート４３は、ＬＥＤ基板４１及びＬＥＤ基板４１に配されているＬＥＤ素子４２の表面を覆って配されている。光学シート４３は、ＬＥＤ素子４２から出射される誘引光８を全面に拡散するための光学シートである。光学シート４３は、特に限定されず、一般的に使用されているものを用いることができる。
【００８８】
透明粘着シート４４は、光学シート４３の表面（ＬＥＤ基板４１及びＬＥＤ素子４２が配されている側とは逆側の面）に配されている。すなわち、補虫機構４０のうち、透明粘着シート４４は最外層（植物工場１側）に配されている。
【００８９】
透明粘着シート４４は表面（光学シート４３が配されている側とは逆側面）が粘着力を有する透明なシートである。これにより、透明粘着シート４４は、光学シート４３を透過した誘引光８を透過し、かつ、この誘引光８によって誘引された害虫７を、粘着力を有する表面により捕獲することができる。
【００９０】
透明粘着シート４４は、単層構造であってもよい。または、透明粘着シート４４は、多層の積層構造とし、害虫７が多数表面に付着することで粘着力が低下した場合、最外層の１枚を剥がすことで、新たな層が最外層となり、害虫７を捕獲するための粘着力が復活するシートにしてもよい。
【００９１】
なお、安全を確保することができれば、補虫機構４０は、透明粘着シート４４に替えて、電撃殺虫式の捕獲部を有していてもよい。
【００９２】
このように、エアシャワー装置２０は、エアシャワー室２１に、ＬＥＤ素子４２と、ＬＥＤ素子４２によって誘引された害虫７を捕獲するための透明粘着シート４４とを備えた補虫機構４０が配されている。
【００９３】
これにより、エア吹き出し口３から出力されるジェットエアー５により、エアシャワー室２１内の作業者１２に付着した塵及び害虫７を取り除くことができるだけでなく、ＬＥＤ素子４２から発光された誘引光８により、作業者１２に付着している害虫７や、エアシャワー室２１に飛翔している害虫７を誘引し、透明粘着シート４４により捕獲することができる。これにより、植物工場１への除塵かつ害虫７の侵入を防止することができる。
【００９４】
すなわち、作業者１２や、エアシャワー装置２０を通って植物工場１内へ入れる植物６等に付着した害虫７の、植物工場１内への持ち込み率を低減することができると共に、エアシャワー室２１内の害虫７を捕獲することによっても、植物工場１内への害虫の侵入を防止することができる。
【００９５】
（制御装置３０の構成）
次に、図４を用いて制御装置３０の構成を説明する。図４はエアシャワー装置２０の構成を表すブロック図である。
【００９６】
制御装置３０は、外部側扉制御部３１と、植物工場側扉制御部３２と、誘引光制御部３３と、エア制御部３４と、制御部３５とを備えている。
【００９７】
外部側扉制御部３１は、扉１０の駆動を制御する。外部側扉制御部３１は、制御部３５の指示に基づいて、扉１０を開閉させたりロックしたりする。
【００９８】
植物工場側扉制御部３２は、扉９の駆動を制御する。植物工場側扉制御部３２は、制御部３５の指示に基づいて、扉９を開閉させたりロックしたりする。
【００９９】
誘引光制御部３３は、ＬＥＤ基板４１を介してＬＥＤ素子４２の駆動を制御する。誘引光制御部３３は、制御部３５の指示に基づいて、ＬＥＤ素子４２を点灯させる旨の指示情報や、ＬＥＤ素子４２を消灯させる旨の指示情報をＬＥＤ基板４１に出力する。
【０１００】
ＬＥＤ基板４１は、誘引光制御部３３からＬＥＤ素子４２を点灯させる旨の指示情報を取得すると自身に実装されているＬＥＤ素子４２を点灯させることで誘引光８を出射させる。
【０１０１】
また、ＬＥＤ基板４１は、誘引光制御部３３からＬＥＤ素子４２を消灯させる旨の指示情報を取得すると、自身に実装されているＬＥＤ素子４２を消灯させることで誘引光８の出射を停止させる。
【０１０２】
エア制御部３４は、エア吹き出し口３の駆動を制御する。エア制御部３４は、制御部３５の指示に基づいてエア吹き出し口３に、ジェットエアー５を出力させたり、ジェットエアー５の出力を停止させたりする。
【０１０３】
（外部から植物工場１へ入室する場合のエアシャワー装置２０の動作説明）
次に、図４、図５等を用いて、作業者１２が、外部からエアシャワー装置２０を通って、植物工場１へ入室する場合のエアシャワー装置２０の動作について説明する。
【０１０４】
図５は、外部から植物工場１へ入室する場合のエアシャワー装置２０の処理の流れを表すフローチャートである。
【０１０５】
例えば資材（物）等を持って、作業者１２（人）が外部側の扉１０の前に立つと、外部側扉制御部３１は扉１０を開する旨の指示情報を扉１０に出力する。そして、扉１０は、外部側扉制御部３１から扉１０を開する旨の指示情報を取得すると開く（ステップＳ１１）。次に、作業者１２は外部側から、エアシャワー室に入室する（ステップＳ１２）。この後、外部側扉制御部３１が扉１０を閉する旨の指示情報を扉１０に出力する。そして、外部側扉制御部３１から扉１０を閉する旨の指示情報を取得すると、扉１０は閉じる（ステップＳ１３）。
【０１０６】
そして、外部側扉制御部３１は扉１０を閉した旨の情報を制御部３５に出力する。制御部３５は、外部側扉制御部３１から扉１０を閉した旨の情報を取得することで、エアシャワー室２１に、外部側から作業者１２が入室したと判断する。
【０１０７】
制御部３５は、エアシャワー室２１に、外部側から作業者１２が入室したと判断すると、外部側扉制御部３１及び植物工場側扉制御部３２に、それぞれ、扉１０・９をロックする旨の指示情報を出力する。
【０１０８】
外部側扉制御部３１は、制御部３５から扉１０をロックする旨の指示情報を取得すると扉１０をロックする。また、植物工場側扉制御部３２は、制御部３５から扉９をロックする旨の指示情報を取得すると扉９をロックする。このようにして、エアシャワー室２１に作業者が入室すると扉９・１０はロックされる（ステップＳ１４）。
【０１０９】
次に、制御部３５はジェットエアー５の送風を開始する旨の指示情報をエア制御部３４に出力する。
【０１１０】
エア制御部３４は制御部３５からジェットエアー５の送風を開始する旨の指示情報を取得すると、複数のエア吹き出し口３のそれぞれにジェットエアー５の送風をさせると共に、ジェットエアー５の送風を開始した旨の情報を制御部３５に出力する。これにより、複数のエア吹き出し口３のそれぞれは、エアシャワー室２１内の作業者１２に対しジェットエアー５を送風する（ステップＳ１５）。
【０１１１】
次に、制御部３５は、エア制御部３４からジェットエアー５の送風を開始した旨の情報を取得すると、誘引光制御部３３に、誘引光８を点灯させる旨の指示情報を出力する。
【０１１２】
そして、誘引光制御部３３は、制御部３５から誘引光８を点灯させる旨の指示情報を取得すると、ＬＥＤ素子を点灯させるための指示情報を補虫機構４０のＬＥＤ基板４１に入力する。
【０１１３】
ＬＥＤ基板４１は、誘引光制御部３３から、ＬＥＤ素子を点灯させるための指示情報を入力されると、自身に実装されている複数のＬＥＤ素子４２のそれぞれを点灯させる。これにより、複数のＬＥＤ素子４２それぞれから誘引光８が出射される（ステップＳ１６）。
【０１１４】
そして、所定時間が経過すると（ステップＳ１７）、エア制御部３４はエア吹き出し口３に、ジェットエアー５の送風を停止させる。これにより、複数のエア吹き出し口３は、ジェットエアー５の送風を終了する（ステップＳ１８）。そして、エア制御部３４はジェットエアー５の送風を終了した旨の情報を制御部３５に出力する。
【０１１５】
制御部３５は、エア制御部３４から、ジェットエアー５の送風を終了した旨の情報を取得すると、植物工場側扉制御部３２に、扉９を開する旨の指示情報を出力する。植物工場側扉制御部３２は、制御部３５から扉９を開する旨の指示情報を取得すると、扉９のロックを解除し（ステップＳ１９）、扉９を開する（ステップＳ２０）。
【０１１６】
扉９が開すると、エアシャワー室２１内の作業者１２は、持っていた資材等と共に、植物工場１に入室する（ステップＳ２１）。
【０１１７】
そして、エアシャワー室２１内の作業者１２が植物工場１に入室すると、植物工場側扉制御部３２は扉９を閉させる。これにより、扉９は閉じられる（ステップＳ２２）。
【０１１８】
そして、植物工場側扉制御部３２は扉９を閉した旨の情報を制御部３５に出力する。制御部３５は植物工場側扉制御部３２から扉９を閉した旨の情報を取得することで、エアシャワー室２１内の作業者１２はエアシャワー室２１から退室したと判断する。
【０１１９】
制御部３５は、エアシャワー室２１から作業者１２が退室したと判断すると、誘引光制御部３３に、誘引光を消灯する旨の指示情報を出力する。また、制御部３５は、外部側扉制御部３１に扉１０のロックを解除する旨の指示情報を出力する。
【０１２０】
誘引光制御部３３は、制御部３５から、誘引光を消灯する旨の指示情報を取得すると、ＬＥＤ素子を消灯させるための指示情報を補虫機構４０のＬＥＤ基板４１に入力する。ＬＥＤ基板４１は、誘引光制御部３３から、ＬＥＤ素子を消灯させるための指示情報を入力されると、自身に実装されている複数のＬＥＤ素子４２のそれぞれを消灯させる。これにより、複数のＬＥＤ素子４２それぞれから出射されていた誘引光８は消灯する（ステップＳ２３）。
【０１２１】
外部側扉制御部３１は、制御部３５から、扉１０のロックを解除する旨の指示情報を取得すると、扉１０のロックを解除する（ステップＳ２４）。
【０１２２】
このように、エアシャワー装置２０は動作する。
【０１２３】
ステップＳ１６で、ＬＥＤ素子４２は、扉１０が閉じた後に点灯することで、誘引光８を出射している。これにより、エアシャワー室２１の外にいる外部の害虫７が、誘引光８により誘引され、エアシャワー室２１内に入ることを防止することができる。この結果、植物工場１への害虫７の侵入を防止することができる。
【０１２４】
また、扉１０の窓１０ａはＵＶカットガラスなので、誘引光８は外部側には漏れず、外部の害虫７が、エアシャワー室２１の近傍に誘引されることを防止することができる。
【０１２５】
さらに、ステップＳ１５で、エア吹き出し口３がジェットエアー５の送風を開始してから、ステップＳ１６で、ＬＥＤ素子４２は点灯している。このため、エア吹き出し口３からのジェットエアー５により飛ばされた害虫７を、ＬＥＤ素子４２の誘引光８により誘引し、補虫機構４０により捕獲することができる。このため、害虫７の捕獲効率がよく、作業者１２に付着した害虫７を取り除くための時間を短縮することができる。
【０１２６】
ステップＳ２２・Ｓ２３で、制御部３５は、扉９を閉した旨の情報をトリガーとして、誘引光制御部３３に誘引光８を消灯させている。すなわち、ＬＥＤ素子４２は、扉９が閉じられてから、誘引光８を消灯している。
【０１２７】
このように、植物工場１側の扉９が閉じるまで誘引光８を点灯させておくことで、ジェットエアー５の送風が終了し、補虫機構４０によって捕獲されずエアシャワー室２１内を害虫７が舞っていたとしても、誘引光８により、害虫７はエアシャワー室２１内に留まりやすい。このため、害虫７が植物工場１に侵入することを防止することができる。
【０１２８】
なお、上述した説明では、ステップＳ１５・Ｓ１６で、制御部３５は、ジェットエアー５の送風を開始した旨の情報をトリガーとして、誘引光制御部３３に誘引光８を点灯させている。
【０１２９】
しかし、ＬＥＤ素子４２が誘引光８の点灯を開始するタイミングは、これに限定されず、扉１０が閉じた（ステップＳ１３）後、エア吹き出し口３がジェットエアー５の送風を終了する（ステップＳ１８）までであればよい。例えば、制御部３５は、扉９・１０をロックする旨の指示情報（ステップＳ１４）をトリガーとして、誘引光制御部３３に誘引光８を点灯させてもよい。
【０１３０】
（植物工場１から外部へ退室する場合のエアシャワー装置２０の動作説明）
次に、図４、６等を用いて、植物工場１内の作業者１２が、植物工場１からエアシャワー装置２０を通って、外部へ退室する場合のエアシャワー装置２０の動作について説明する。
【０１３１】
図６は、植物工場１から外部へ退室する場合のエアシャワー装置２０の処理の流れを表すフローチャートである。
【０１３２】
例えば、資材（物）等を持って、作業者１２（人）が植物工場１側の扉９の前に立つと、植物工場側扉制御部３２は、その作業者１２を検知し、当該検知情報を制御部３５に出力する。
【０１３３】
制御部３５は、植物工場側扉制御部３２から検知情報を取得すると、植物工場側扉制御部３２に扉９を開する旨の指示情報を出力する。植物工場側扉制御部３２は、制御部３５から扉９を開する旨の指示情報を取得すると、扉９を開する（ステップＳ３１）。そして、植物工場側扉制御部３２は扉９を開した旨の情報を制御部３５に出力する。
【０１３４】
次に、制御部３５は、植物工場側扉制御部３２から扉９を開した旨の情報を取得すると、誘引光制御部３３に誘引光８を点灯させる旨の指示情報を出力し、さらに、外部側扉制御部３１に扉１０をロックする旨の指示情報を出力する。
【０１３５】
誘引光制御部３３は、制御部３５から、誘引光８を点灯させる旨の指示情報を取得すると、ＬＥＤ素子を点灯させるための指示情報をＬＥＤ基板４１に入力することで、ＬＥＤ基板４１にＬＥＤ素子４２のそれぞれを点灯させる。これにより、複数のＬＥＤ素子４２それぞれから誘引光８が出射される（ステップＳ３２）。
【０１３６】
また、外部側扉制御部３１は、制御部３５から、扉１０をロックする旨の指示情報を取得すると扉１０をロックする（ステップＳ３３）。
【０１３７】
次に、作業者１２は、扉９が開くと、植物工場１側から、誘引光８が点灯しているエアシャワー室２１に入室する（ステップＳ３４）。この後、植物工場側扉制御部３２は扉９を閉する旨の指示情報を扉９に出力する。そして、植物工場側扉制御部３２から扉９を閉する旨の指示情報を取得すると、扉９は閉じる（ステップＳ３５）。
【０１３８】
そして、植物工場側扉制御部３２は扉９を閉した旨の情報を制御部３５に出力する。制御部３５は、植物工場側扉制御部３２から扉９を閉した旨の情報を取得することで、エアシャワー室２１に、植物工場１側から作業者１２が入室したと判断する。
【０１３９】
制御部３５は、エアシャワー室２１に、植物工場１側から作業者１２が入室したと判断すると、誘引光制御部３３に誘引光８を消灯させる旨の指示情報を出力し、また、外部側扉制御部３１に扉１０を開する旨の指示情報を出力し、さらに、植物工場側扉制御部３２に扉９をロックする旨の指示情報を出力する。
【０１４０】
誘引光制御部３３は、制御部３５から、誘引光を消灯する旨の指示情報を取得すると、ＬＥＤ素子を消灯させるための指示情報をＬＥＤ基板４１に入力することで、ＬＥＤ基板４１にＬＥＤ素子４２のそれぞれを消灯させる。これにより、複数のＬＥＤ素子４２それぞれから出射されていた誘引光８は消灯する（ステップＳ３６）。
【０１４１】
外部側扉制御部３１は、制御部３５から扉１０を開する旨の指示情報を取得すると、扉１０のロックを解除し（ステップＳ３７）、扉１０を開する（ステップＳ３８）。また、植物工場側扉制御部３２は制御部３５から扉９をロックする旨の指示情報を取得すると扉９をロックする（ステップＳ３９）。
【０１４２】
次に、扉１０が開すると、エアシャワー室２１内の作業者１２は、持っていた資材等と共に、外部へと退出する（ステップＳ４０）。
【０１４３】
そして、エアシャワー室２１内の作業者１２が外部へ退出すると、外部側扉制御部３１は扉１０を閉させる。これにより、扉１０は閉じられる（ステップＳ４１）。
【０１４４】
そして、外部側扉制御部３１は扉１０を閉した旨の情報を制御部３５に出力する。制御部３５は外部側扉制御部３１から扉１０を閉した旨の情報を取得することで、エアシャワー室２１内の作業者１２はエアシャワー室２１から退出したと判断する。
【０１４５】
制御部３５は、エアシャワー室２１から作業者１２が退出したと判断すると、植物工場側扉制御部３２に、扉９のロックを解除する旨の指示情報を出力する。
【０１４６】
植物工場側扉制御部３２は、制御部３５から、扉９のロックを解除する旨の指示情報を取得すると、扉９のロックを解除する（ステップＳ４２）。
【０１４７】
このように、エアシャワー装置２０は動作する。
【０１４８】
なお、図６等を用いて説明した、植物工場１から外部へ退室する場合のエアシャワー装置２０のフローは、植物工場１内で害虫を発見した場合のフローであり、常時必要なフローではない。必要に応じて用いればよい。
【０１４９】
このように、作業者１２が、植物工場１から外部へ出る際は、扉９が開閉し、所定時間経過後、扉１０が開閉する。扉９の開閉及び扉１０の開閉の間でエア吹き出し口３はジェットエアー５を出力しない。
【０１５０】
ステップＳ３１・Ｓ３２で、制御部３５は、扉９を開した情報をトリガーとして、誘引光制御部３３に誘引光８を点灯させている。すなわち、ＬＥＤ素子４２は、扉９が開した後、誘引光８を点灯させている。
【０１５１】
また、ステップＳ３５・Ｓ３６で、制御部３５は、扉９を閉した旨の情報をトリガーとして、誘引光制御部３３に誘引光８を消灯させている。すなわち、ＬＥＤ素子４２は、扉９が閉した後、誘引光８を消灯している。
【０１５２】
このように、ＬＥＤ素子４２は、扉９が閉じる前に点灯するので、植物工場１に害虫７が飛翔していても、エアシャワー室２１内で点灯する誘引光８によって、エアシャワー室２１内へ誘引することができる。このため、植物工場１へ侵入した害虫７を除去することができる。
【０１５３】
なお、上述した説明では、ステップＳ３５・３６で、制御部３５は、扉９を閉した旨の情報をトリガーとして、誘引光制御部３３に誘引光８を消灯させている。しかし、ＬＥＤ素子４２が、誘引光８を消灯するタイミングは、これに限定されず、扉１０のロック解除（ステップＳ３７）をトリガーとして、ＬＥＤ素子４２は誘引光８を消灯させてもよい。
【０１５４】
（パスボックス装置５０の構成）
次に、図７を用いてパスボックス装置（除塵装置）５０の構成について説明する。図７は、本実施の形態にかかるパスボックス装置５０の構成を表す平面図である。
【０１５５】
パスボックス装置５０は、植物工場１へ出し入れする資材や植物６等の物の除塵及び害虫の除去を目的とするものである。
【０１５６】
パスボックス装置５０は、パスボックス室５１と、エア吹き出し口３と、補虫機構４０と、制御装置３０とを備えている。
【０１５７】
パスボックス室５１は、植物工場１の前室であって、植物工場１と隣接して配されている。パスボックス室５１は、作業者１２が入室できる程度の大きさでなくてもよく、エアシャワー室２１よりもサイズが小さい部屋である。
【０１５８】
パスボックス室５１は、パスボックス室５１の室内と植物工場１の室内とを仕切る壁５２と、壁５２と対向しパスボックス室５１の室内と外部とを仕切る壁５３と、互いに離間して対向し壁５２及び壁５３を接続する壁５４及び壁５５と、を備えている。パスボックス室５１は、壁５２・５３・５４・５５と、床及び天井によって、外部の空間と仕切られた空間となっている。
【０１５９】
壁５２には、植物工場１側の扉９と、複数のエア吹き出し口３とが配されている。扉９には窓９ａが配されている。また、壁５３には、外部側の扉１０と、複数のエア吸気口２６（図７には不図示）と、複数の補虫機構４０とが配されている。扉１０には窓１０ａが配されている。
【０１６０】
パスボックス室５１内のうち、エア吹き出し口３が配されている壁５２側が、気流の上流側であり、エア吸気口２６が配されている壁５３側が、気流の下流側である。
【０１６１】
エア吹き出し口３のそれぞれから送風されるジェットエアー５によって、パスボックス室５１内に入れられた農業用の資材１３に付着した塵や害虫７等が吹き飛ばされる。これにより、植物工場１内への塵や害虫７の侵入を防止している。
【０１６２】
パスボックス室５１に配されている、エア吹き出し口３、複数のエア吸気口２６（図７には不図示）、及び複数の補虫機構４０それぞれの配置位置は、エアシャワー室２１の配置位置と同じでよい。
【０１６３】
ただし、パスボックス室５１は、エアシャワー室２１よりもサイズが小さいので、エア吹き出し口３、複数のエア吸気口２６（図７には不図示）、及び複数の補虫機構４０それぞれの個数は、エアシャワー室２１に配されているそれぞれの個数よりも少なくなる。もしくは、パスボックス室５１に配されている、エア吹き出し口３、複数のエア吸気口２６（図７には不図示）、及び複数の補虫機構４０それぞれのサイズを、エアシャワー室２１に配されているそれぞれのサイズよりも小さくしてもよい。
【０１６４】
また、パスボックス室５１内には、ＬＥＤ素子４２以外にも、例えば、白色ＬＥＤ等からなる照明用の光源（不図示）が配されている。
【０１６５】
外部にある資材１３を、パスボックス装置５０を通って植物工場１へ搬入する際のパスボックス装置５０の処理の流れは図５等を用いて説明した処理の流れと同じである。また、植物工場１にある資材１３を、パスボックス装置５０を通って外部へ搬出する際のパスボックス装置５０の処理の流れは図６等を用いて説明した処理の流れと同じである。
【０１６６】
ただし、ステップＳ１１・Ｓ１３・Ｓ２０・Ｓ２２・Ｓ３１・Ｓ３５・Ｓ３８・Ｓ４１で、扉９・扉１０のそれぞれは、自動で開又は閉せず、外部にいる作業者１２又は植物工場１にいる作業者１２が、扉９又は扉１０を開又は閉するようにしてもよい。
【０１６７】
このようにパスボックス装置５０によると、植物工場１への除塵かつ害虫７の侵入を防止することができる。
【０１６８】
図５、６等を用いて説明したフローを利用しつつ、例えば、人、物の外部から植物工場１への入出が無い時間帯を利用して、扉９を常時開けており、誘引光８を点灯させておくことで、パスボックス室５１や、エアシャワー室２１を、大型の害虫引装置としても利用することができる。
【０１６９】
（補虫機構４０の変形例）
次に、図８、図９を用いて補虫機構４０の変形例について説明する。図８は補虫機構４０の第１の変形例の構成を表す図である。
【０１７０】
エアシャワー装置２０及びパスボックス装置５０は、補虫機構４０に替えて、図８に示す補虫機構４０ａを備えていてもよい。
【０１７１】
図８に示すように、補虫機構４０ａは、ＬＥＤ基板４１ａと、ＬＥＤ素子４２ａと、透明粘着シート４４と、導光板４５とを備えている。補虫機構４０ａはエッジライト型を有している。
【０１７２】
ＬＥＤ基板４１ａには、複数のＬＥＤ素子４２ａが、一列もしくは複数列に並んで配されている。ＬＥＤ基板４１ａは、導光板４５の一方の側面に、当該側面に沿って配されている。導光板４５の裏面は外部側の壁２３に貼り合わされている。導光板４５の表面に、透明粘着シート４４が積層して貼り合わされている。
【０１７３】
このように、導光板４５をエッジライト型として構成することで、ＬＥＤ基板４１ａのサイズは、ＬＥＤ基板４１のサイズより小さくすることができ、また、ＬＥＤ素子４２ａの個数を、補虫機構４０のＬＥＤ素子４２の個数より少なくすることができる。このため、補虫機構４０ａの構成によると、補虫機構４０と比べて、コストを削減することができる。
【０１７４】
また、エアシャワー装置２０及びパスボックス装置５０は、補虫機構４０に替えて、図９に示す補虫機構４０ｂを備えていてもよい。図９は補虫機構４０の第２の変形例の構成を表す図である。
【０１７５】
補虫機構４０ｂは、ＬＥＤ基板４１と、複数のＬＥＤ素子４２と、複数の開口部４４ｈを有する粘着シート４４ｂとを備えている。
【０１７６】
複数のＬＥＤ素子４２は、ＬＥＤ基板４１にマトリクス状に配されている。ＬＥＤ基板４１の裏面は、外部側の壁２３と貼り合わされている。
【０１７７】
粘着シート４４ｂは、複数のＬＥＤ素子４２が配されているＬＥＤ基板４１の表面に積層して貼り合わされている。粘着シート４４ｂの表面は粘着力を有することで、害虫７の捕獲が可能となっている。
【０１７８】
粘着シート４４ｂには複数の開口部４４ｈが形成されている。粘着シート４４ｂの複数の開口部４４ｈのそれぞれは、複数のＬＥＤ素子４２のそれぞれと対向する位置に形成されている。
【０１７９】
ここで、多くの害虫７は紫外光に誘引されることが知られている。しかし、導光板や光学シートの中には、例えばアクリル等、紫外光の波長を吸収してしまう材料で構成されているものが多い。
【０１８０】
そこで、補虫機構４０ｂでは、粘着シート４４ｂの、複数のＬＥＤ素子４２と対向する領域にはそれぞれ開口部４４ｈが形成されている。このため、ＬＥＤ素子４２から発光される誘引光８が紫外光であっても、当該誘引光８が粘着シート４４ｂの開口部４４ｈを通ってエアシャワー室２１又はパスボックス室５１に出射されるため、粘着シート４４ｂで吸収されることを抑えることができる。このため、効率よくＬＥＤ素子４２から発光される誘引光８により、害虫７を誘引することができる。
【０１８１】
なお、粘着シート４４ｂは、開口部４４ｈを通して、誘引光８を透過させるため、透明でなくともよく、例えば白色の材料から構成されていてもよい。また、粘着シート４４ｂは多層の積層構造であってもよいし、単層構造であってもよい。
【０１８２】
（エアシャワー装置２０の変形例）
次に、図１０を用いて、エアシャワー装置２０の変形例について説明する。図１０は、エアシャワー装置２０の変形例の構成を表す斜視図である。
【０１８３】
図１０に示すエアシャワー装置２０では、複数のエア吹き出し口３、複数の補虫機構４０、及び複数のエア吸気口２６は、エアシャワー室２１の壁２１・２２・２３・２４のうち、植物工場１側の壁２２と外部側の壁２３とを繋ぐ一方の壁２４に配されている。
【０１８４】
なお、図１０のエアシャワー室２１の壁２２にはエア吹き出し口３は配されておらず、壁２３には補虫機構４０は配されていない。
【０１８５】
複数のエア吹き出し口３は、壁２４のうち、上側半分に、マトリクス状に配されている。複数のエア吸気口２６形成領域及び複数の補虫機構４０は、壁２４のうち、下側半分に、千鳥状に配されている。
【０１８６】
図１０に示すエアシャワー室２１では、壁２３の上半分が、ジェットエアー５の上流側となり、壁２３の下半分がジェットエアー５の下流側となる。
【０１８７】
このように、図１０のエアシャワー装置２０によると、同一面である壁２４に、複数のエア吹き出し口３、複数のエア吸気口２６、及び補虫機構４０を配しているので、複数のエア吹き出し口３と、複数のエア吸気口２６及び補虫機構４０とを、別々の壁２２・２３に配した場合と比べて、装置構成を簡略化することができ、コスト増加を抑えることができる。
【０１８８】
また、壁２４には扉が無く、壁２４の下側の一面に全体的に複数のエア吸気口２６及び補虫機構４０を配することができ、多くのエア吸気口２６及び補虫機構４０を、隣接して配することができる。このため、補虫機構４０での害虫７の補虫効果を向上させることができる。
【０１８９】
さらに、複数の補虫機構４０は、植物工場１側から外部側にかけて並んで配されているので、複数の補虫機構４０のＬＥＤ素子４２のそれぞれを、植物工場１側から外部側にかけて、次第に、もしくは段階的に、光量が上がるように設定することができる。これにより、エアシャワー室２１に侵入した害虫７を外部側へ誘引することができる。
【０１９０】
さらに、図１０のエアシャワー装置２０では、壁２４と対向する壁２３にも同様にして、上半分に複数のエア吹き出し口３を配し、下半分に複数のエア吸気口２６形成領域及び複数の補虫機構４０を千鳥状に配してもよい。
【０１９１】
〔実施の形態２〕
次に、図１１〜図１５を用いて、本発明の第２の実施の形態について説明する。なお、説明の便宜上、前記実施の形態１にて説明した図面と同じ機能を有する部材については、同じ符号を付記し、その説明を省略する。
【０１９２】
（エアシャワー装置２０ａの構成）
図１１は、第２の実施の形態に係るエアシャワー装置２０ａの構成を表す平面図である。
【０１９３】
エアシャワー装置２０ａは、エアシャワー装置２０が備えていた補虫機構４０に替えて、補虫機構４６を備え、制御装置３０に替えて制御装置３０ａを備えている点で、エアシャワー装置２０と相違する。エアシャワー装置２０ａの他の構成は、エアシャワー装置２０と同様である。
【０１９４】
複数の補虫機構４６は、壁２３に配されている。複数の補虫機構４６は、誘引光８ではなく、３１５ｎｍ〜４００ｎｍにピークを持つ紫外光であるＵＶＡ誘引光８ＵＶＡと、青色光である青色誘引光８Ｂと、黄色光である黄色誘引光８Ｙとを発光する。
【０１９５】
これにより、ＵＶＡに加え、青色光及び黄色光によっても、害虫を誘引することができ、特定の害虫への誘引効果を高めている。
【０１９６】
図１２は、第２の実施形態の補虫機構４６の構成を表す斜視図である。
【０１９７】
補虫機構４６は、複数のＬＥＤ素子４２ＵＶＡ・４２Ｂ・４２Ｙと、複数のＬＥＤ素子４２ＵＶＡ・４２Ｂ・４２Ｙそれぞれが配されているＬＥＤ基板４７と、光学シート４３と、透明粘着シート４４とを備えている。
【０１９８】
補虫機構４６は、壁２３側から順に、複数のＬＥＤ素子４２ＵＶＡ・４２Ｂ・４２Ｙが配されているＬＥＤ基板４７、光学シート４３、及び透明粘着シート４４が積層されている。
【０１９９】
ＬＥＤ基板４７は、制御装置３０ａからの指示に基づいて、ＬＥＤ基板４７に配されている複数のＬＥＤ素子４２ＵＶＡ・４２Ｂ・４２Ｙを点灯させたり、消灯させたりするものである。ＬＥＤ基板４７は、ＬＥＤ素子４２ＵＶＡ・４２Ｂ・４２Ｙの全てを点灯及び消灯させたり、又は、各色毎に点灯及び消灯させたりする等、制御装置３０ａからの指示に基づいて、各ＬＥＤ素子４２ＵＶＡ・４２Ｂ・４２Ｙを任意に点灯又は消灯させることができる。
【０２００】
ＬＥＤ素子４２ＵＶＡはＵＶＡ誘引光８ＵＶＡを発光し、ＬＥＤ素子４２Ｂは青色誘引光８Ｂを発光し、ＬＥＤ素子４２Ｙは黄色誘引光８Ｙを発光する。ＵＶＡ誘引光８ＵＶＡは、３１５ｎｍ〜４００ｎｍにピークを持つ紫外光であればよいが、特に、波長３４０ｎｍ〜３７０ｎｍにピークを有する紫外線である方が好ましい。
【０２０１】
ＬＥＤ素子４２ＵＶＡと、ＬＥＤ素子４２Ｂと、ＬＥＤ素子４２Ｙとは、ＬＥＤ基板４７にマトリクス状に配されている。なお、ＬＥＤ素子４２ＵＶＡと、ＬＥＤ素子４２Ｂと、ＬＥＤ素子４２Ｙの個数や、配置位置は任意であり、特に限定されるものではない。
【０２０２】
ある種の害虫は特定の色の光に誘引される特性を有している。
【０２０３】
例えば、黄色誘引光８Ｙにより、コナジラミ類（オンシツコナジラミ、タバココナジラミ等）、アザミウマ類（チャノキイロアザミウマ、ミカンキイロアザミウマ等）、ハエ類（マメハモグリバエ、イエバエ、タネバエ等）、ウンカ類、アブラムシ類、コナガ類、等を誘引することができる。
【０２０４】
また、例えば、青色誘引光８Ｂにより、アザミウマ類（ミナミキイロアザミウマ、ヒラズハナアザミウマ）等を誘引することができる。
【０２０５】
このように、エアシャワー装置２０ａによると、ＵＶＡ誘引光８ＵＶＡで誘引できる昆虫類等に加えて、黄色誘引光８Ｙ及び青色誘引光８Ｂにより、上述したような、黄色光又は青色光により誘引させる特定の害虫も、誘引することができ、より害虫７の誘引及び植物工場１への侵入の防止効果を高めることができる。
【０２０６】
図１３は、エアシャワー装置２０ａの構成を表すブロック図である。
【０２０７】
制御装置３０ａは、外部側扉制御部３１と、植物工場側扉制御部３２ａと、誘引光制御部３３ａと、エア制御部３４と、制御部３５ａとを備えている。
【０２０８】
外部側扉制御部３１は、扉１０の駆動を制御する。外部側扉制御部３１は、制御部３５ａの指示に基づいて、扉１０を開閉させたりロックしたりする。
【０２０９】
植物工場側扉制御部３２ａは、扉９の駆動を制御する。植物工場側扉制御部３２ａは、制御部３５ａの指示に基づいて、扉９を開閉させたりロックしたりする。
【０２１０】
誘引光制御部３３ａは、ＬＥＤ基板４７を介してＬＥＤ素子４２ＵＶＡ・４２Ｙ・４２Ｂの駆動を制御する。誘引光制御部３３ａは、制御部３５ａの指示に基づいて、ＬＥＤ素子４２ＵＶＡ、又はＬＥＤ素子４２Ｙ及びＬＥＤ素子４２Ｂを点灯させる旨の指示情報や、ＬＥＤ素子４２ＵＶＡ、又はＬＥＤ素子４２Ｙ及びＬＥＤ素子４２Ｂを消灯させる旨の指示情報をＬＥＤ基板４７に出力する。
【０２１１】
ＬＥＤ基板４７は、誘引光制御部３３ａからＬＥＤ素子４２ＵＶＡ、又はＬＥＤ素子４２Ｙ及びＬＥＤ素子４２Ｂを点灯させる旨の指示情報を取得すると自身に実装されているＬＥＤ素子４２ＵＶＡ、又はＬＥＤ素子４２Ｙ及びＬＥＤ素子４２Ｂを点灯させることでＵＶＡ誘引光８ＵＶＡ、又は黄色誘引光８Ｙ及び青色誘引光８Ｂを出射させる。
【０２１２】
また、ＬＥＤ基板４７は、誘引光制御部３３ａからＬＥＤ素子４２ＵＶＡ、又はＬＥＤ素子４２Ｙ及びＬＥＤ素子４２Ｂを消灯させる旨の指示情報を取得すると、自身に実装されているＬＥＤ素子４２ＵＶＡ、又はＬＥＤ素子４２Ｙ及びＬＥＤ素子４２Ｂを消灯させることでＵＶＡ誘引光８ＵＶＡ、又は黄色誘引光８Ｙ及び青色誘引光８Ｂの出射を停止させる。
【０２１３】
エア制御部３４は、エア吹き出し口３の駆動を制御する。エア制御部３４は、制御部３５ａの指示に基づいてエア吹き出し口３に、ジェットエアー５を出力させたり、ジェットエアー５の出力を停止させたりする。
【０２１４】
このように、エアシャワー装置２０ａでは、補虫機構４６は、ＬＥＤ素子４２ＵＶＡと、ＬＥＤ素子４２Ｙと、ＬＥＤ素子４２Ｂとを備えている。なお、補虫機構４６は、ＬＥＤ素子４２Ｙと、ＬＥＤ素子４２Ｂとのうち、少なくとも一方を備えていればよい。これにより、補虫機構４６により誘引する害虫７の種類の向上させることができ、確実に害虫７を誘引及び捕獲することができる。
【０２１５】
（外部から植物工場１へ入室する場合のエアシャワー装置２０ａの動作説明）
次に、図１３、及び図１４等を用いて、作業者１２が外部からエアシャワー装置２０ａを通って、植物工場１へ入室する場合のエアシャワー装置２０ａの動作について説明する。
【０２１６】
図１４は、外部から植物工場１へ入室する場合のエアシャワー装置２０ａの処理の流れを表すフローチャートである。
【０２１７】
例えば資材（物）等を持って、作業者１２（人）が外部側の扉１０の前に立つと、外部側扉制御部３１は扉１０を開する旨の指示情報を扉１０に出力する。そして、扉１０は、外部側扉制御部３１から扉１０を開する旨の指示情報を取得すると開く（ステップＳ１１）。次に、作業者１２は外部側から、エアシャワー室に入室する（ステップＳ１２）。この後、外部側扉制御部３１が扉１０を閉する旨の指示情報を扉１０に出力する。そして、外部側扉制御部３１から扉１０を閉する旨の指示情報を取得すると、扉１０は閉じる（ステップＳ１３）。
【０２１８】
そして、外部側扉制御部３１は扉１０を閉した旨の情報を制御部３５ａに出力する。制御部３５ａは、外部側扉制御部３１から扉１０を閉した旨の情報を取得することで、エアシャワー室２１に、外部側から作業者１２が入室したと判断する。
【０２１９】
制御部３５ａは、エアシャワー室２１に、外部側から作業者１２が入室したと判断すると、外部側扉制御部３１及び植物工場側扉制御部３２ａに、それぞれ、扉１０・９をロックする旨の指示情報を出力する。
【０２２０】
外部側扉制御部３１は、制御部３５ａから扉１０をロックする旨の指示情報を取得すると扉１０をロックする。また、植物工場側扉制御部３２ａは、制御部３５ａから扉９をロックする旨の指示情報を取得すると扉９をロックする。このようにして、エアシャワー室２１に作業者が入室すると扉９・１０はロックされる（ステップＳ１４）。
【０２２１】
次に、制御部３５ａはジェットエアー５の送風を開始する旨の指示情報をエア制御部３４に出力する。
【０２２２】
エア制御部３４は制御部３５からジェットエアー５の送風を開始する旨の指示情報を取得すると、複数のエア吹き出し口３のそれぞれにジェットエアー５の送風をさせると共に、ジェットエアー５の送風を開始した旨の情報を制御部３５に出力する。これにより、複数のエア吹き出し口３のそれぞれは、エアシャワー室２１内の作業者１２に対しジェットエアー５を送風する（ステップＳ１５）。
【０２２３】
次に、制御部３５ａは、エア制御部３４からジェットエアー５の送風を開始した旨の情報を取得すると、誘引光制御部３３ａに、ＵＶＡ誘引光８ＵＶＡ・黄色誘引光８Ｙ・青色誘引光８Ｂを点灯させる旨の指示情報を出力する。
【０２２４】
そして、誘引光制御部３３ａは、制御部３５ａからＵＶＡ誘引光８ＵＶＡ・黄色誘引光８Ｙ・青色誘引光８Ｂを点灯させる旨の指示情報を取得すると、ＬＥＤ素子４２ＵＶＡ・４２Ｙ・４２Ｂを点灯させるための指示情報を補虫機構４６のＬＥＤ基板４７に入力する。
【０２２５】
ＬＥＤ基板４７は、誘引光制御部３３ａから、ＬＥＤ素子４２ＵＶＡ・４２Ｙ・４２Ｂを点灯させるための指示情報を入力されると、自身に実装されている複数のＬＥＤ素子４２ＵＶＡ・４２Ｙ・４２Ｂのそれぞれを点灯させる。これにより、複数のＬＥＤ素子４２ＵＶＡからＵＶＡ誘引光８ＵＶＡが出射され、複数のＬＥＤ素子４２Ｙから黄色誘引光８Ｙが出射され、複数のＬＥＤ素子４２Ｂから青色誘引光８Ｂが出射される（ステップＳ５１）。
【０２２６】
そして、所定時間が経過すると（ステップＳ１７）、エア制御部３４はエア吹き出し口３に、ジェットエアー５の送風を停止させる。これにより、複数のエア吹き出し口３は、ジェットエアー５の送風を終了する（ステップＳ１８）。そして、エア制御部３４はジェットエアー５の送風を終了した旨の情報を制御部３５ａに出力する。
【０２２７】
制御部３５ａは、エア制御部３４から、ジェットエアー５の送風を終了した旨の情報を取得すると、誘引光制御部３３ａに、黄色誘引光８Ｙ・青色誘引光８Ｂを消灯させる旨の指示情報を出力すると共に、植物工場側扉制御部３２ａに、扉９を開する旨の指示情報を出力する。
【０２２８】
誘引光制御部３３ａは、制御部３５ａから黄色誘引光８Ｙ・青色誘引光８Ｂを消灯させる旨の指示情報を取得すると、ＬＥＤ素子４２Ｙ・４２Ｂを消灯させるための指示情報をＬＥＤ基板４７に入力する。
【０２２９】
ＬＥＤ基板４７は、誘引光制御部３３ａから、ＬＥＤ素子４２Ｙ・４２Ｂを消灯させるための指示情報が入力されると、自身に実装されている複数のＬＥＤ素子４２Ｙ・４２Ｂのそれぞれを消灯させる。これにより、黄色誘引光８Ｙ及び青色誘引光８Ｂが消灯する（ステップＳ５２）。
【０２３０】
また、植物工場側扉制御部３２ａは、制御部３５ａから扉９を開する旨の指示情報を取得すると、扉９のロックを解除し（ステップＳ１９）、扉９を開する（ステップＳ２０）。
【０２３１】
扉９が開すると、エアシャワー室２１内の作業者１２は、持っていた資材等と共に、植物工場１に入室する（ステップＳ２１）。
【０２３２】
そして、エアシャワー室２１内の作業者１２が植物工場１に入室すると、植物工場側扉制御部３２ａは扉９を閉させる。これにより、扉９は閉じられる（ステップＳ２２）。
【０２３３】
そして、植物工場側扉制御部３２ａは扉９を閉した旨の情報を制御部３５ａに出力する。制御部３５ａは植物工場側扉制御部３２ａから扉９を閉した旨の情報を取得することで、エアシャワー室２１内の作業者１２はエアシャワー室２１から退室したと判断する。
【０２３４】
制御部３５ａは、エアシャワー室２１から作業者１２が退室したと判断すると、誘引光制御部３３ａに、ＵＶＡ誘引光８ＵＶＡを消灯する旨の指示情報を出力する。また、制御部３５ａは、外部側扉制御部３１に扉１０のロックを解除する旨の指示情報を出力する。
【０２３５】
誘引光制御部３３ａは、制御部３５ａから、ＵＶＡ誘引光８ＵＶＡを消灯する旨の指示情報を取得すると、ＬＥＤ素子４２ＵＶＡを消灯させるための指示情報をＬＥＤ基板４７に入力する。ＬＥＤ基板４７は、誘引光制御部３３ａから、ＬＥＤ素子４２ＵＶＡを消灯させるための指示情報が入力されると、自身に実装されている複数のＬＥＤ素子４２ＵＶＡのそれぞれを消灯させる。これにより、複数のＬＥＤ素子４２ＵＶＡそれぞれから出射されていたＵＶＡ誘引光８ＵＶＡは消灯する（ステップＳ５３）。
【０２３６】
外部側扉制御部３１は、制御部３５ａから、扉１０のロックを解除する旨の指示情報を取得すると、扉１０のロックを解除する（ステップＳ２４）。
【０２３７】
このように、エアシャワー装置２０ａは動作する。
【０２３８】
エアシャワー装置２０ａで、黄色誘引光８Ｙ・青色誘引光８Ｂを使用しているので、外部側の扉１０の窓１０ａからの漏れ光により、外部の害虫７をエアシャワー室２１の近傍まで誘引してしまう可能性がある。
【０２３９】
そこで、エアシャワー装置２０ａでは、黄色誘引光８Ｙ及び青色誘引光８Ｂの点灯期間を、最も害虫７の補虫機構４６での捕獲が期待できるジェットエアー５の送風開始（ステップＳ１５）から終了（ステップＳ１８）までとした。これにより、外部の害虫７が黄色誘引光８Ｙ・青色誘引光８Ｂによりエアシャワー室２１の近傍に誘引されることを極力抑え、エアシャワー室２１内への誘引を防止している。
【０２４０】
また、窓１０ａはＵＶカットガラスからなるので、ＵＶＡ誘引光８ＵＶＡによっては外部の害虫７はエアシャワー室２１の近傍へは誘引されない。このため、実施の形態１と同様に、ステップＳ２２・Ｓ５３で、制御部３５ａは、扉９を閉した旨の情報をトリガーとして、誘引光制御部３３ａにＵＶＡ誘引光８ＵＶＡを消灯させている。すなわち、ＬＥＤ素子４２ＵＶＡは、扉９が閉じられてから、ＵＶＡ誘引光８ＵＶＡを消灯している。
【０２４１】
なお、一般的に、エアシャワーやパスボックスは、中に人が居てジェットエアーが吹き出している間は扉にロックがかかる構造のため、扉には中を確認する覗き窓が設けられている。
【０２４２】
エアシャワー装置２０ａでは、特に、扉１０の窓１０ａがＵＶカット機能を有する。そして、エア吹き出し口３は、ステップＳ１５で、扉９が開閉してからジェットエアー５を出力し、所定時間経過後、扉１０が開く前のステップＳ１８で、ジェットエアー５の出力を停止する。
【０２４３】
そして、ＬＥＤ素子４２ＵＶＡ及びＬＥＤ素子４２Ｙ・４２Ｂは、ステップＳ５１で、エア吹き出し口３がジェットエアー５を出力開始してから点灯する。その後、ＬＥＤ素子４２Ｙ・４２Ｂは、扉１０が開く前であるステップＳ５２で消灯し、ＬＥＤ素子４２ＵＶＡは、扉１０が開閉した後であるステップＳ５３で消灯する。
【０２４４】
このように、ＬＥＤ素子４２ＵＶＡは、エア吹き出し口３がジェットエアー５を出力している間点灯しているので、作業者１２に付着している害虫７を効率よく、誘引及び捕獲することができる。
【０２４５】
さらに、ＬＥＤ素子４２ＵＶＡは、扉１０が開閉した後に消灯しているので、植物工場１に害虫７が侵入していた場合でも、害虫７をエアシャワー室２１内に誘引することができる。このため、植物工場１に害虫７が侵入していたとしても、その害虫７を除去することができる。
【０２４６】
加えて、ＬＥＤ素子４２Ｙ・４２Ｂは、扉９・１０が閉じている間だけ、点灯しているので、ＬＥＤ素子４２Ｙ・４２Ｂにより、エアシャワー室２１の外から虫が誘引されることを防止することができる。
【０２４７】
（植物工場１から外部へ退室する場合のエアシャワー装置２０ａ動作説明）
次に、図１３、１５等を用いて、植物工場１内の作業者１２が、植物工場１からエアシャワー装置２０ａを通って、外部へ退室する場合のエアシャワー装置２０ａの動作について説明する。
【０２４８】
図１５は、植物工場１から外部へ退室する場合のエアシャワー装置２０ａの処理の流れを表すフローチャートである。
【０２４９】
例えば、資材（物）等を持って、作業者１２（人）が植物工場１側の扉９の前に立つと、植物工場側扉制御部３２ａは、その作業者１２を検知し、当該検知情報を制御部３５ａに出力する。
【０２５０】
制御部３５ａは、植物工場側扉制御部３２ａから検知情報を取得すると、植物工場側扉制御部３２ａに扉９を開する旨の指示情報を出力する。植物工場側扉制御部３２ａは、制御部３５ａから扉９を開する旨の指示情報を取得すると、扉９を開する（ステップＳ３１）。そして、植物工場側扉制御部３２ａは扉９を開した旨の情報を制御部３５ａに出力する。
【０２５１】
次に、制御部３５ａは、植物工場側扉制御部３２ａから扉９を開した旨の情報を取得すると、誘引光制御部３３ａにＵＶＡ誘引光８ＵＶＡを点灯させる旨の指示情報を出力し、さらに、外部側扉制御部３１に扉１０をロックする旨の指示情報を出力する。
【０２５２】
誘引光制御部３３ａは、制御部３５ａから、ＵＶＡ誘引光８ＵＶＡを点灯させる旨の指示情報を取得すると、ＬＥＤ素子４２ＵＶＡを点灯させるための指示情報をＬＥＤ基板４７に入力することで、ＬＥＤ基板４７にＬＥＤ素子４２ＵＶＡのそれぞれを点灯させる。これにより、複数のＬＥＤ素子４２ＵＶＡそれぞれからＵＶＡ誘引光８ＵＶＡが出射される（ステップＳ５４）。
【０２５３】
また、外部側扉制御部３１は、制御部３５ａから、扉１０をロックする旨の指示情報を取得すると扉１０をロックする（ステップＳ３３）。
【０２５４】
次に、作業者１２は、扉９が開くと、植物工場１側から、ＵＶＡ誘引光８ＵＶＡが点灯しているエアシャワー室２１に入室する（ステップＳ３４）。この後、植物工場側扉制御部３２ａは扉９を閉する旨の指示情報を扉９に出力する。そして、植物工場側扉制御部３２ａから扉９を閉する旨の指示情報を取得すると、扉９は閉じる（ステップＳ３５）。
【０２５５】
そして、植物工場側扉制御部３２ａは扉９を閉した旨の情報を制御部３５ａに出力する。制御部３５ａは、植物工場側扉制御部３２ａから扉９を閉した旨の情報を取得することで、エアシャワー室２１に、植物工場１側から作業者１２が入室したと判断する。
【０２５６】
制御部３５ａは、エアシャワー室２１に、植物工場１側から作業者１２が入室したと判断すると、誘引光制御部３３ａにＵＶＡ誘引光８ＵＶＡを消灯させる旨の指示情報を出力し、また、外部側扉制御部３１に扉１０を開する旨の指示情報を出力し、さらに、植物工場側扉制御部３２ａに扉９をロックする旨の指示情報を出力する。
【０２５７】
誘引光制御部３３ａは、制御部３５ａから、ＵＶＡ誘引光８ＵＶＡを消灯する旨の指示情報を取得すると、ＬＥＤ素子４２ＵＶＡを消灯させるための指示情報をＬＥＤ基板４７に入力することで、ＬＥＤ基板４７にＬＥＤ素子４２ＵＶＡのそれぞれを消灯させる。これにより、複数のＬＥＤ素子４２ＵＶＡそれぞれから出射されていたＵＶＡ誘引光８ＵＶＡは消灯する（ステップＳ５５）。
【０２５８】
外部側扉制御部３１は、制御部３５ａから扉１０を開する旨の指示情報を取得すると、扉１０のロックを解除し（ステップＳ３７）、扉１０を開する（ステップＳ３８）。また、植物工場側扉制御部３２ａは制御部３５ａから扉９をロックする旨の指示情報を取得すると扉９をロックする（ステップＳ３９）。
【０２５９】
次に、扉１０が開すると、エアシャワー室２１内の作業者１２は、持っていた資材等と共に、外部へと退出する（ステップＳ４０）。
【０２６０】
そして、エアシャワー室２１内の作業者１２が外部へ退出すると、外部側扉制御部３１は扉１０を閉させる。これにより、扉１０は閉じられる（ステップＳ４１）。
【０２６１】
そして、外部側扉制御部３１は扉１０を閉した旨の情報を制御部３５ａに出力する。制御部３５ａは外部側扉制御部３１から扉１０を閉した旨の情報を取得することで、エアシャワー室２１内の作業者１２はエアシャワー室２１から退出したと判断する。
【０２６２】
制御部３５ａは、エアシャワー室２１から作業者１２が退出したと判断すると、植物工場側扉制御部３２ａに、扉９のロックを解除する旨の指示情報を出力する。
【０２６３】
植物工場側扉制御部３２ａは、制御部３５ａから、扉９のロックを解除する旨の指示情報を取得すると、扉９のロックを解除する（ステップＳ４２）。
【０２６４】
このように、エアシャワー装置２０ａは動作する。
【０２６５】
なお、図１３等を用いて説明した、植物工場１から外部へ退室する場合のエアシャワー装置２０ａのフローは、植物工場１内で害虫を発見した場合のフローであり、常時必要なフローではない。必要に応じて用いればよい。
【０２６６】
また、図１５のフローでは、ジェットエアー５が送風されず、また、扉９開（ステップＳ３１）から扉１０開（ステップＳ３８）まで非常に短い時間である。このため、黄色誘引光８Ｙ・青色誘引光８Ｂを点灯することにより、害虫７の誘引及び捕獲する効果よりも、窓１０ａの漏れ光による外部の害虫７のエアシャワー室２１近傍へ誘引することにより、植物工場１への害虫７の侵入のリスクによる弊害の方が高いと考えられる。このため、黄色誘引光８Ｙ及び青色誘引光８Ｂは点灯しない。
【０２６７】
〔実施の形態３〕
次に、図１６〜図２０を用いて、本発明の第３の実施の形態について説明する。なお、説明の便宜上、前記実施の形態１、２にて説明した図面と同じ機能を有する部材については、同じ符号を付記し、その説明を省略する。
【０２６８】
（パスボックス装置５０ａの構成）
図１６は、第３の実施の形態に係るパスボックス装置５０ａの構成を表す平面図である。
【０２６９】
パスボックス装置５０ａは、パスボックス装置５０が備えていた補虫機構４０に替えて補虫機構４８を備えている点と、制御装置３０に替えて制御装置３０ｂを備えている点と、さらに選択スイッチ１６を備えている点とで、パスボックス装置５０と相違する。
【０２７０】
パスボックス室５１には、エア吹き出し口３と、扉１４と、扉１５と、選択スイッチ１６と、補虫機構４８とが配されている。
【０２７１】
選択スイッチ１６は、パスボックス室５１の外部側の外側であり、壁５３に配されている。選択スイッチ１６は、外部から、パスボックス室５１内に搬入した物が、資材１３であるか、植物であるかを、その作業者が選択するためのスイッチである。
【０２７２】
パスボックス室５１のうち、植物工場１側の壁５２には植物工場側の扉１４が配されており、外部側の壁５３には外部側の扉１５が配されている。扉１４には窓１４ａが配されており、扉１５には窓１５ａが配されている。窓１４ａ及び窓１５ａとも、ＵＶカットガラスからなる。
【０２７３】
複数の補虫機構４８は、壁５３に配されている。複数の補虫機構４８は、ＵＶＡ誘引光８ＵＶＡに加え、波長２８０ｎｍ〜３１５ｎｍにピークを持つ紫外光であるＵＶＢ誘引光８ＵＶＢを発光する。これにより、パスボックス装置５０ａは、ＵＶＡに加えＵＶＢによっても害虫を誘引することができ、害虫の誘引効果を高めていることと、ＵＶＢによる殺菌機能も有する。
【０２７４】
図１７は、第３の実施形態の補虫機構４８の構成を表す斜視図である。
【０２７５】
補虫機構４８は、複数のＬＥＤ素子４２ＵＶＡ・４２ＵＶＢと、複数のＬＥＤ素子４２ＵＶＡ・４２ＵＶＢそれぞれが配されているＬＥＤ基板４９と、光学シート４３と、透明粘着シート４４とを備えている。
【０２７６】
補虫機構４８は、壁５３側から順に、複数のＬＥＤ素子４２ＵＶＡ・４２ＵＶＢが配されているＬＥＤ基板４９、光学シート４３、及び透明粘着シート４４が積層されている。
【０２７７】
ＬＥＤ基板４９は、制御装置３０ｂからの指示に基づいて、ＬＥＤ基板４９に配されている複数のＬＥＤ素子４２ＵＶＡ・４２ＵＶＢを点灯させたり、消灯させたりするものである。ＬＥＤ基板４９は、ＬＥＤ素子４２ＵＶＡ・４２ＵＶＢの全てを点灯及び消灯させたり、又は、各色毎に点灯及び消灯させたりする等、制御装置３０ｂからの指示に基づいて、ＬＥＤ素子４２ＵＶＡ・４２ＵＶＢを任意に点灯又は消灯させることができる。
【０２７８】
ＬＥＤ素子４２ＵＶＡはＵＶＡ誘引光８ＵＶＡを発光し、ＬＥＤ素子４２ＵＶＢはＵＶＢ誘引光８ＵＶＢを発光する。ＵＶＡ誘引光８ＵＶＡは、３１５ｎｍ〜４００ｎｍにピークを持つ紫外光であればよいが、特に、波長３４０ｎｍ〜３７０ｎｍにピークを有する紫外線である方が好ましい。
【０２７９】
ＬＥＤ素子４２ＵＶＡと、ＬＥＤ素子４２ＵＶＢとは、ＬＥＤ基板４９にマトリクス状に配されている。なお、ＬＥＤ素子４２ＵＶＡと、ＬＥＤ素子４２ＵＶＢとの個数や、配置位置は任意であり、特に限定されるものではない。
【０２８０】
ここで、外部環境で使用した資材１３は、植物の病気の原因となる菌が付着しているケースが多々ある。このため、このように外部環境で使用した資材１３を植物工場へ入れる場合は、通常は、中性洗剤を用いて洗う等の作業が必要である。
【０２８１】
一方、本実施の形態のパスボックス装置５０ａは、ＵＶＢ誘引光８ＵＶＢを発光する。このＵＶＢ誘引光８ＵＶＢは、害虫７の誘引効果に加えて、殺菌効果も有する。
【０２８２】
このため、パスボックス室５１にて、農業用の資材１３（例えばプランターや農機具類）を植物工場１に入れる場合、その資材１３に付着した害虫７の誘引及び捕獲に加えて、資材１３の減菌処理も行うことができる。これにより、植物工場１へ搬入する資材１３を中性洗剤で洗うなどの手間を省くことができる。
【０２８３】
しかし、ＵＶＢ誘引光８ＵＶＢは、皮膚病や眼の疾患等、人体への悪影響や、植物の成長阻害要因ともなり得る。このため、本実施の形態に係るパスボックス装置５０ａは、パスボックス限定であり、かつ、パスボックス室５１内に入っているものが植物か資材かを作業者が選別するための選択スイッチ１６を加えた構造となっている。
【０２８４】
また、外部側の扉１５に配されている窓１５ａに加え、植物工場１側の扉１４に配された窓１４ａもＵＶカットガラスからなるものとする。これにより、植物工場１内から、作業者が窓１４ａを覗き込んだ際の、人体への悪影響の発生を防止している。
【０２８５】
図１８は、パスボックス装置５０ａの構成を表すブロック図である。
【０２８６】
制御装置３０ｂは、外部側扉制御部３１ｂと、植物工場側扉制御部３２ｂと、誘引光制御部３３ｂと、エア制御部３４と、制御部３５ｂと、スイッチ情報取得部３７とを備えている。
【０２８７】
外部側扉制御部３１ｂは、扉１５の駆動を制御する。外部側扉制御部３１は、制御部３５ｂの指示に基づいて、扉１５のロックをしたり、ロックの解除をしたりする。
【０２８８】
植物工場側扉制御部３２ｂは、扉１４の駆動を制御する。植物工場側扉制御部３２ｂは、制御部３５ｂの指示に基づいて、扉１４のロックをしたりロックの解除をしたりする。
【０２８９】
誘引光制御部３３ｂは、ＬＥＤ基板４９を介してＬＥＤ素子４２ＵＶＡ・４２ＵＶＢの駆動を制御する。誘引光制御部３３ｂは、制御部３５ｂの指示に基づいて、ＬＥＤ素子４２ＵＶＡ、又はＬＥＤ素子４２ＵＶＢを点灯させる旨の指示情報や、ＬＥＤ素子４２ＵＶＡ、又はＬＥＤ素子４２ＵＶＢを消灯させる旨の指示情報をＬＥＤ基板４９に出力する。
【０２９０】
ＬＥＤ基板４９は、誘引光制御部３３ｂからＬＥＤ素子４２ＵＶＡ、又はＬＥＤ素子４２ＵＶＢを点灯させる旨の指示情報を取得すると自身に実装されているＬＥＤ素子４２ＵＶＡ、又はＬＥＤ素子４２ＵＶＢを点灯させることで、ＵＶＡ誘引光８ＵＶＡ、又はＵＶＢ誘引光８ＵＶＢを出射させる。
【０２９１】
また、ＬＥＤ基板４９は、誘引光制御部３３ｂからＬＥＤ素子４２ＵＶＡ、又はＬＥＤ素子４２ＵＶＢを消灯させる旨の指示情報を取得すると、自身に実装されているＬＥＤ素子４２ＵＶＡ、又はＬＥＤ素子４２ＵＶＢを消灯させることで、ＵＶＡ誘引光８ＵＶＡ、又はＵＶＢ誘引光８ＵＶＢの出射を停止させる。
【０２９２】
エア制御部３４は、エア吹き出し口３の駆動を制御する。エア制御部３４は、制御部３５ｂの指示に基づいてエア吹き出し口３に、ジェットエアー５を出力させたり、ジェットエアー５の出力を停止させたりする。
【０２９３】
スイッチ情報取得部３７は、選択スイッチ１６によって選択された情報を取得し、当該取得した情報を制御部３５ｂに出力する。
【０２９４】
選択スイッチ１６が、作業者によって、パスボックス室５１に搬入したものが植物６である旨が選択された場合、スイッチ情報取得部３７は、植物６である旨の情報を選択スイッチ１６から取得する。そして、スイッチ情報取得部３７は、当該取得した、植物６である旨の情報を制御部３５ｂに出力する。
【０２９５】
一方、選択スイッチ１６が、作業者によって、パスボックス室５１に搬入したものが資材１３である旨が選択された場合、スイッチ情報取得部３７は、資材１３である旨の情報を選択スイッチ１６から取得する。そして、スイッチ情報取得部３７は、当該取得した、資材１３である旨の情報を制御部３５ｂに出力する。
【０２９６】
（外部から植物工場１へ搬入する場合のパスボックス装置５０ａの動作説明）
次に、図１８、及び図１９等を用いて、外部からパスボックス装置５０ａを経由して、植物工場１へ資材１３もしくは植物６を搬入する際のパスボックス装置５０ａの動作について説明する。
【０２９７】
図１９は、外部から植物工場１へ資材１３又は植物６を搬入する場合のパスボックス装置５０ａの処理の流れを表すフローチャートである。
【０２９８】
外部側から、作業者１２が、扉１５を開する（ステップＳ６１）。次に、作業者１２によって、外部側から、物（植物６もしくは資材１３）がパスボックス室５１内に入れられる（ステップＳ６２）。そして、扉１５が作業者１２によって閉じられる（ステップＳ６３）。扉１５が閉じると、外部側扉制御部３１ｂが扉１５を閉した旨の情報を制御部３５ｂに出力する。
【０２９９】
また、選択スイッチ１６は、パスボックス室５１内に物を入れた作業者によって、パスボックス室５１に入れた物は、植物６であるか、資材１３であるかが選択される（ステップＳ６４）。
【０３００】
選択スイッチ１６が、植物６であると選択された場合（ステップＳ６４で植物の場合）、スイッチ情報取得部３７は選択スイッチ１６から、植物である旨の情報を取得し、当該取得した植物である旨の情報を、制御部３５ｂに出力する。
【０３０１】
制御部３５ｂは、外部側扉制御部３１ｂから扉１５を閉した旨の情報を取得し、スイッチ情報取得部３７から植物である旨の情報を取得すると、パスボックス室５１に、外部側から植物６が搬入されたと判断する。
【０３０２】
制御部３５ｂは、パスボックス室５１に、外部側から植物６が搬入されたと判断すると、外部側扉制御部３１ｂ及び植物工場側扉制御部３２ｂに、それぞれ、扉１５・１４をロックする旨の指示情報を出力する。
【０３０３】
外部側扉制御部３１ｂは、制御部３５ｂから扉１５をロックする旨の指示情報を取得すると扉１５をロックする。また、植物工場側扉制御部３２ｂは、制御部３５ｂから扉１４をロックする旨の指示情報を取得すると扉１４をロックする。このようにして、扉１５を閉じ、選択スイッチ１６を選択すると、扉１５・１４はロックされる（ステップＳ６５）。
【０３０４】
次に、制御部３５ｂはジェットエアー５の送風を開始する旨の指示情報をエア制御部３４に出力する。
【０３０５】
エア制御部３４は制御部３５ｂからジェットエアー５の送風を開始する旨の指示情報を取得すると、複数のエア吹き出し口３のそれぞれにジェットエアー５の送風をさせると共に、ジェットエアー５の送風を開始した旨の情報を制御部３５ｂに出力する。これにより、複数のエア吹き出し口３のそれぞれは、パスボックス室５１内の植物６に対しジェットエアー５を送風する（ステップＳ６６）。
【０３０６】
次に、制御部３５ｂは、エア制御部３４からジェットエアー５の送風を開始した旨の情報を取得すると、誘引光制御部３３ｂに、ＵＶＡ誘引光８ＵＶＡを点灯させる旨の指示情報を出力する。
【０３０７】
そして、誘引光制御部３３ｂは、制御部３５ｂからＵＶＡ誘引光８ＵＶＡを点灯させる旨の指示情報を取得すると、ＬＥＤ素子４２ＵＶＡを点灯させるための指示情報を補虫機構４８のＬＥＤ基板４９に入力する。
【０３０８】
ＬＥＤ基板４９は、誘引光制御部３３ｂから、ＬＥＤ素子４２ＵＶＡを点灯させるための指示情報を入力されると、自身に実装されている複数のＬＥＤ素子４２ＵＶＡを点灯させる。これにより、複数のＬＥＤ素子４２ＵＶＡからＵＶＡ誘引光８ＵＶＡが出射される（ステップＳ６７）。
【０３０９】
そして、所定時間ＴＡが経過すると（ステップＳ６８）、エア制御部３４はエア吹き出し口３に、ジェットエアー５の送風を停止させる。これにより、複数のエア吹き出し口３は、ジェットエアー５の送風を終了する（ステップＳ６９）。そして、エア制御部３４はジェットエアー５の送風を終了した旨の情報を制御部３５ｂに出力する。
【０３１０】
制御部３５ｂは、エア制御部３４から、ジェットエアー５の送風を終了した旨の情報を取得すると、植物工場側扉制御部３２ｂに、扉９のロックを解除する旨の指示情報を出力する。
【０３１１】
そして、植物工場側扉制御部３２ｂは、制御部３５ｂから扉１４のロックを解除する旨の指示情報を取得すると、扉１４のロックを解除する（ステップＳ７０）。そして、植物工場１内に待機していた作業者１２によって、扉１４が開される（ステップＳ７１）。
【０３１２】
次に、植物工場１内の作業者１２は、パスボックス室５１内の物（すなわち植物６）をパスボックス室５１から取り出す（ステップＳ７２）。
【０３１３】
パスボックス室５１内の物を取り出すと、植物工場１内の作業者１２は、扉１４を閉じる（ステップＳ７３）。扉１４が閉じられると、植物工場側扉制御部３２ｂは、扉１４を閉した旨の情報を扉１４から取得し、当該取得した扉１４を閉した旨の情報を制御部３５ｂへ出力する。
【０３１４】
そして、制御部３５ｂは植物工場側扉制御部３２ｂから扉１４を閉した旨の情報を取得することで、パスボックス室５１内の物はパスボックス室５１外へ搬出されたと判断する。
【０３１５】
制御部３５ｂは、パスボックス室５１内の物はパスボックス室５１外へ搬出されたと判断すると、誘引光制御部３３ｂに、ＵＶＡ誘引光８ＵＶＡを消灯する旨の指示情報を出力する。また、制御部３５ｂは、外部側扉制御部３１ｂに扉１５のロックを解除する旨の指示情報を出力する。
【０３１６】
誘引光制御部３３ｂは、制御部３５ｂから、ＵＶＡ誘引光８ＵＶＡを消灯する旨の指示情報を取得すると、ＬＥＤ素子４２ＵＶＡを消灯させるための指示情報をＬＥＤ基板４９に入力する。ＬＥＤ基板４９は、誘引光制御部３３ｂから、ＬＥＤ素子４２ＵＶＡを消灯させるための指示情報が入力されると、自身に実装されている複数のＬＥＤ素子４２ＵＶＡのそれぞれを消灯させる。これにより、複数のＬＥＤ素子４２ＵＶＡそれぞれから出射されていたＵＶＡ誘引光８ＵＶＡは消灯する（ステップＳ７４）。
【０３１７】
外部側扉制御部３１ｂは、制御部３５ｂから、扉１５のロックを解除する旨の指示情報を取得すると、扉１５のロックを解除する（ステップＳ７５）。
【０３１８】
パスボックス室５１に植物６が搬入された場合、パスボックス装置５０ａはこのように動作する。
【０３１９】
一方、外部側から、パスボックス室５１内に資材１３が搬入された場合、すなわち、ステップＳ６４で、作業者１２によって、選択スイッチ１６が、資材１３であると選択された場合（ステップＳ６４で資材の場合）、スイッチ情報取得部３７は選択スイッチ１６から、資材である旨の情報を取得し、当該取得した資材である旨の情報を、制御部３５ｂに出力する。
【０３２０】
制御部３５ｂは、外部側扉制御部３１ｂから扉１５を閉した旨の情報を取得し、スイッチ情報取得部３７から資材である旨の情報を取得すると、パスボックス室５１に、外部側から資材１３が搬入されたと判断する。
【０３２１】
制御部３５ｂは、パスボックス室５１に、外部側から資材１３が搬入されたと判断すると、誘引光制御部３３ｂに、ＵＶＢ誘引光８ＵＶＢを点灯させる旨の指示情報を出力すると共に、外部側扉制御部３１ｂ及び植物工場側扉制御部３２ｂに、それぞれ、扉１５・１４をロックする旨の指示情報を出力する。
【０３２２】
誘引光制御部３３ｂは、制御部３５ｂからＵＶＢ誘引光８ＵＶＢを点灯させる旨の指示情報を取得すると、ＬＥＤ素子４２ＵＶＢを点灯させるための指示情報をＬＥＤ基板４９に入力する。
【０３２３】
ＬＥＤ基板４９は、誘引光制御部３３ｂから、ＬＥＤ素子４２ＵＶＢを点灯させるための指示情報が入力されると、自身に実装されている複数のＬＥＤ素子４２ＵＶＢのそれぞれを点灯させる。これにより、ＵＶＢ誘引光８ＵＶＢが点灯する（ステップＳ７６）。これにより、ＵＶＢ誘引光８ＵＶＢは誘引灯として作用すると共に、資材１３に付着している細菌類に対して細菌灯としても作用する。この結果、資材１３に付着している細菌の除去を行うことができる。
【０３２４】
また、外部側扉制御部３１ｂは、制御部３５ｂから扉１５をロックする旨の指示情報を取得すると扉１５をロックする。そして、植物工場側扉制御部３２ｂは、制御部３５ｂから扉１４をロックする旨の指示情報を取得すると扉１４をロックする。このようにして、扉１５を閉じ、選択スイッチ１６を選択すると、扉１５・１４はロックされる（ステップＳ７７）。
【０３２５】
次に、制御部３５ｂはジェットエアー５の送風を開始する旨の指示情報をエア制御部３４に出力する。
【０３２６】
エア制御部３４は制御部３５ｂからジェットエアー５の送風を開始する旨の指示情報を取得すると、複数のエア吹き出し口３のそれぞれにジェットエアー５の送風をさせると共に、ジェットエアー５の送風を開始した旨の情報を制御部３５ｂに出力する。これにより、複数のエア吹き出し口３のそれぞれは、パスボックス室５１内の資材１３に対しジェットエアー５を送風する（ステップＳ７８）。
【０３２７】
次に、制御部３５ｂは、エア制御部３４からジェットエアー５の送風を開始した旨の情報を取得すると、誘引光制御部３３ｂに、ＵＶＡ誘引光８ＵＶＡを点灯させる旨の指示情報を出力する。
【０３２８】
そして、誘引光制御部３３ｂは、制御部３５ｂからＵＶＡ誘引光８ＵＶＡを点灯させる旨の指示情報を取得すると、ＬＥＤ素子４２ＵＶＡを点灯させるための指示情報を補虫機構４８のＬＥＤ基板４９に入力する。
【０３２９】
ＬＥＤ基板４９は、誘引光制御部３３ｂから、ＬＥＤ素子４２ＵＶＡを点灯させるための指示情報を入力されると、自身に実装されている複数のＬＥＤ素子４２ＵＶＡを点灯させる。これにより、複数のＬＥＤ素子４２ＵＶＡからＵＶＡ誘引光８ＵＶＡが出射される（ステップＳ７９）。このように、ジェットエアー５の送風開始と共に、ＵＶＡ誘引光８ＵＶＡを点灯させることで、害虫７の誘引効果を高めることができる。
【０３３０】
そして、所定時間ＴＢが経過すると（ステップＳ８０）、エア制御部３４はエア吹き出し口３に、ジェットエアー５の送風を停止させる。これにより、複数のエア吹き出し口３は、ジェットエアー５の送風を終了する（ステップＳ８１）。そして、エア制御部３４はジェットエアー５の送風を終了した旨の情報を制御部３５ｂに出力する。
【０３３１】
制御部３５ｂは、エア制御部３４から、ジェットエアー５の送風を終了した旨の情報を取得すると、誘引光制御部３３ｂに、ＵＶＢ誘引光８ＵＶＢを消灯させる旨の指示情報を出力すると共に、植物工場側扉制御部３２ｂに、扉１５のロックを解除する旨の指示情報を出力する。
【０３３２】
誘引光制御部３３ｂは、制御部３５ｂからＵＶＢ誘引光８ＵＶＢを消灯させる旨の指示情報を取得すると、ＬＥＤ素子４２ＵＶＢを消灯させるための指示情報をＬＥＤ基板４９に入力する。
【０３３３】
ＬＥＤ基板４９は、誘引光制御部３３ｂから、ＬＥＤ素子４２ＵＶＢを消灯させるための指示情報が入力されると、自身に実装されている複数のＬＥＤ素子４２ＵＶＢのそれぞれを消灯させる。これにより、ＵＶＢ誘引光８ＵＶＢが消灯する（ステップＳ８２）。
【０３３４】
このように、制御部３５ｂは、ジェットエアー５の送風を終了した旨の情報をトリガーとして誘引光制御部３３ｂに、ＵＶＢ誘引光８ＵＶＢを消灯させている。このため、ＵＶＢ誘引光８ＵＶＢは、作業者１２が扉１４を開ける前に消灯する。これにより、ＵＶＢ誘引光８ＵＶＢの人体への悪影響を防止することができる。
【０３３５】
そして、植物工場側扉制御部３２ｂは、制御部３５ｂから扉１４のロックを解除する旨の指示情報を取得すると、扉１４のロックを解除する（ステップＳ８３）。そして、植物工場１内に待機していた作業者１２によって、扉１４が開される（ステップＳ８４）。
【０３３６】
次に、植物工場１内の作業者１２は、パスボックス室５１内の物（すなわち資材１３）をパスボックス室５１から取り出す（ステップＳ８５）。
【０３３７】
パスボックス室５１内の物を取り出すと、植物工場１内の作業者１２は、扉１４を閉じる（ステップＳ８６）。扉１４が閉じられると、植物工場側扉制御部３２ｂは、扉１４を閉した旨の情報を扉１４から取得し、当該取得した扉１４を閉した旨の情報を制御部３５ｂへ出力する。
【０３３８】
そして、制御部３５ｂは植物工場側扉制御部３２ｂから扉１４を閉した旨の情報を取得することで、パスボックス室５１内の物はパスボックス室５１外へ搬出されたと判断する。
【０３３９】
制御部３５ｂは、パスボックス室５１内の物はパスボックス室５１外へ搬出されたと判断すると、誘引光制御部３３ｂに、ＵＶＡ誘引光８ＵＶＡを消灯する旨の指示情報を出力する。また、制御部３５ｂは、外部側扉制御部３１ｂに扉１５のロックを解除する旨の指示情報を出力する。
【０３４０】
誘引光制御部３３ｂは、制御部３５ｂから、ＵＶＡ誘引光８ＵＶＡを消灯する旨の指示情報を取得すると、ＬＥＤ素子４２ＵＶＡを消灯させるための指示情報をＬＥＤ基板４９に入力する。ＬＥＤ基板４９は、誘引光制御部３３ｂから、ＬＥＤ素子４２ＵＶＡを消灯させるための指示情報が入力されると、自身に実装されている複数のＬＥＤ素子４２ＵＶＡのそれぞれを消灯させる。これにより、複数のＬＥＤ素子４２ＵＶＡそれぞれから出射されていたＵＶＡ誘引光８ＵＶＡは消灯する（ステップＳ８７）。このように、ＵＶＡ誘引光８ＵＶＡは扉１４が閉じられてから消灯している。
【０３４１】
そして、外部側扉制御部３１ｂは、制御部３５ｂから、扉１５のロックを解除する旨の指示情報を取得すると、扉１５のロックを解除する（ステップＳ８８）。
【０３４２】
パスボックス室５１に資材１３が搬入された場合、パスボックス装置５０ａはこのように動作する。
【０３４３】
上述したように、パスボックス室５１に植物６を入れる場合、ステップＳ６６・Ｓ６７で、制御部３５ｂは、ジェットエアー５の送風を開始した旨の情報をトリガーとして、誘引光制御部３３ｂにＵＶＡ誘引光８ＵＶＡを点灯させている。
【０３４４】
そして、ステップＳ７３・Ｓ７４で、制御部３５ｂは、扉１４を閉した旨の情報をトリガーとして、誘引光制御部３３ｂにＵＶＡ誘引光８ＵＶＡを消灯させている。すなわち、ＬＥＤ素子４２ＵＶＡは、扉１４が閉じられてから、ＵＶＡ誘引光８ＵＶＡを消灯している。
【０３４５】
このように、植物工場１側の扉１４が閉じるまでＵＶＡ誘引光８ＵＶＡを点灯させておくことで、ジェットエアー５の送風が終了し、補虫機構４８によって捕獲されずパスボックス室５１内を害虫７が舞っていたとしても、ＵＶＡ誘引光８ＵＶＡにより、害虫７はパスボックス室５１内に留まりやすい。このため、害虫７が植物工場１に侵入することを防止することができる。
【０３４６】
また、パスボックス室５１に資材１３を入れる場合、ＵＶＢ誘引光８ＵＶＢを長時間発光していると、外部や植物工場１側からパスボックス室５１内を見た人の人体（眼）への影響や、外部に飛翔している害虫７をパスボックス室５１近傍へ誘引してしまうことが危惧される。しかし、パスボックス装置５１ａでは、植物工場１側の扉１４の窓１４ａ及び外部側の扉１５の窓１５ａの両方に、ＵＶカットガラスを使用している。このため、ＵＶＢ誘引光８ＵＶＢの人体への悪影響や、外部を飛翔する害虫７のパスボックス室５１近傍への誘引を防止することができる。
【０３４７】
また、ステップＳ６８・Ｓ８０で、所定時間ＴＡと、所定時間ＴＢとを異ならせてもよい。例えば、所定時間ＴＡを６０秒とし、ステップＳ８０で所定時間ＴＢを１８０秒とする等、植物６がパスボックス室５１に入れられた場合のＵＶＡ誘引光８ＵＶＡの発光時間よりも、資材１３がパスボックス室５１に入れられた場合のＵＶＡ誘引光８ＵＶＡ・ＵＶＢ誘引光８ＵＶＢの発光時間を長くする。これにより、資材１３の殺菌作用を高めつつ、植物６へのＵＶＡ誘引光８ＵＶＡの照射時間を管理することもできる。
【０３４８】
さらに、所定時間ＴＢを、例えば、１５分とする等、比較的長時間とすることで、パスボックス室５１を殺菌ボックスとして使用することもできる。
【０３４９】
このように、パスボックス装置５０ａは、パスボックス室５１に入れられた物が植物６であれば、ＬＥＤ素子４２ＵＶＡ・４２ＵＶＢのうち、ＬＥＤ素子４２ＵＶＡのみを点灯してから消灯することで、ＵＶＡ誘引光８ＵＶＡのみを点灯及び消灯させる。これにより植物６にＵＶＢ誘引光８ＵＶＢが照射されることの悪影響を防止することがきる。
【０３５０】
一方、パスボックス装置５０ａは、パスボックス室５１に入れられた物が資材１３であれば、ＬＥＤ素子４２ＵＶＡ・４２ＵＶＢの両方を点灯してから消灯することで、ＵＶＡ誘引光８ＵＶＡ及びＵＶＢ誘引光８ＵＶＢの両方を点灯及び消灯させる。これにより資材１３に対する除菌効果を得ることができる。
【０３５１】
また、パスボックス装置５０ａでは、窓１４ａ・１５ａの両方がＵＶカットガラスからなる。そして、エア吹き出し口３は、ステップＳ７８で、扉１４が開閉してからジェットエアー５を出力し、所定時間ＴＢ経過後、ステップＳ８１で、扉１５が開く前にジェットエアー５の出力を停止している。
【０３５２】
さらに、ＬＥＤ素子４２ＵＶＢは、扉１４が開閉した後、エア吹き出し口３がジェットエアー５を出力する前である、ステップＳ７６でＵＶＢ誘引光８ＵＶＢを点灯し、エア吹き出し口３がジェットエアー５の出力を停止した後、扉１５が開く前である、ステップＳ８２で、ＵＶＢ誘引光８ＵＶＢを消灯する。
【０３５３】
このように、ＬＥＤ素子４２ＵＶＢは、エア吹き出し口３がジェットエアー５の出力を停止した後、扉１５が開く前に消灯する。これにより、外部にいる作業者１２への、ＬＥＤ素子４２ＵＶＢからのＵＶＢ誘引光８ＵＶＢによる悪影響を防止することができる。そして、ＬＥＤ素子４２ＵＶＡは、エア吹き出し口３がジェットエアー５の出力をしてから点灯し、扉１４が開閉した後に消灯するので、植物工場１に害虫７が侵入していたとしても、ＬＥＤ素子４２ＵＶＡにより誘引し、植物工場１から害虫７を除去することができる。
【０３５４】
（植物工場１から外部へ搬出する場合のパスボックス装置５０ａ動作説明）
次に、図１８、２０等を用いて、植物工場１からパスボックス装置５０ａを経由して、外部へ資材１３もしくは植物６を搬出する際のパスボックス装置５０ａの動作について説明する。
【０３５５】
図２０は、植物工場１から外部へ資材１３又は植物６を搬出する場合のパスボックス装置５０ａの処理の流れを表すフローチャートである。
【０３５６】
植物工場１側から、作業者１２が、扉１４を開する（ステップＳ９１）。すると、植物工場側扉制御部３２ｂは扉１４を開した旨の情報を制御部３５ｂに出力する。
【０３５７】
次に、制御部３５ｂは、植物工場側扉制御部３２ｂから扉１４を開した旨の情報を取得すると、誘引光制御部３３ｂにＵＶＡ誘引光８ＵＶＡを点灯させる旨の指示情報を出力し、さらに、外部側扉制御部３１ｂに扉１５をロックする旨の指示情報を出力する。
【０３５８】
誘引光制御部３３ｂは、制御部３５ｂから、ＵＶＡ誘引光８ＵＶＡを点灯させる旨の指示情報を取得すると、ＬＥＤ素子４２ＵＶＡを点灯させるための指示情報をＬＥＤ基板４９に入力することで、ＬＥＤ基板４９にＬＥＤ素子４２ＵＶＡのそれぞれを点灯させる。これにより、複数のＬＥＤ素子４２ＵＶＡそれぞれからＵＶＡ誘引光８ＵＶＡが出射される（ステップＳ９２）。
【０３５９】
また、外部側扉制御部３１ｂは、制御部３５ｂから、扉１５をロックする旨の指示情報を取得すると扉１５をロックする（ステップＳ９３）。
【０３６０】
次に、作業者１２は、植物工場１側から、ＵＶＡ誘引光８ＵＢＡが点灯しているパスボックス室５１に植物６又は資材１３を入れる（ステップＳ９４）。そして、作業者１２は扉１４を閉する（ステップＳ９５）。
【０３６１】
扉１４が閉されると、植物工場側扉制御部３２ｂは、扉１４を閉した旨の情報を制御部３５ｂに出力する。制御部３５ｂは、植物工場側扉制御部３２ｂから扉１４を閉した旨の情報を取得することで、パスボックス室５１に、植物工場１側から植物６又は資材１３が搬入されたと判断する。
【０３６２】
制御部３５ｂは、パスボックス室５１に、植物工場１側から、植物６又は資材１３が搬入されたと判断すると、誘引光制御部３３ｂにＵＶＡ誘引光８ＵＶＡを消灯させる旨の指示情報を出力し、また、外部側扉制御部３１ｂに扉１５を開する旨の指示情報を出力し、さらに、植物工場側扉制御部３２ｂに扉１４をロックする旨の指示情報を出力する。
【０３６３】
誘引光制御部３３ｂは、制御部３５ｂから、ＵＶＡ誘引光８ＵＶＡを消灯する旨の指示情報を取得すると、ＬＥＤ素子４２ＵＶＡを消灯させるための指示情報をＬＥＤ基板４７に入力することで、ＬＥＤ基板４７にＬＥＤ素子４２ＵＶＡのそれぞれを消灯させる。これにより、複数のＬＥＤ素子４２ＵＶＡそれぞれから出射されていたＵＶＡ誘引光８ＵＶＡは消灯する（ステップＳ９６）。
【０３６４】
外部側扉制御部３１ｂは、制御部３５ｂから扉１５を開する旨の指示情報を取得すると、扉１５のロックを解除する（ステップＳ９７）。そして、外部側の作業者１２によって扉１５は開される（ステップＳ９８）。
【０３６５】
また、植物工場側扉制御部３２ｂは制御部３５ｂから扉１４をロックする旨の指示情報を取得すると扉１４をロックする（ステップＳ９９）。
【０３６６】
次に、外部側の作業者１２は、扉１５を開すると、パスボックス室５１内の植物６又は資材１３を取り出す（ステップＳ１００）。そして、外部側の作業者１２は扉１５を閉する（ステップＳ１０１）。
【０３６７】
そして、外部側扉制御部３１ｂは扉１５を閉した旨の情報を制御部３５ｂに出力する。制御部３５ｂは外部側扉制御部３１ｂから扉１５を閉した旨の情報を取得することで、パスボックス室５１内の植物６又は資材１３は外部へ搬出されたと判断する。
【０３６８】
制御部３５ｂは、パスボックス室５１から植物６又は資材１３が外部へ搬出されたと判断すると、植物工場側扉制御部３２ｂに、扉１４のロックを解除する旨の指示情報を出力する。
【０３６９】
植物工場側扉制御部３２ｂは、制御部３５ｂから、扉１４のロックを解除する旨の指示情報を取得すると、扉９のロックを解除する（ステップＳ１０２）。このように、パスボックス装置５０ａは動作する。
【０３７０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０３７１】
本発明は、エアシャワー装置やパスボックス装置等の除塵装置に利用することができる。
【符号の説明】
【０３７２】
１  植物工場
３  エア吹き出し口（送風口）
５  ジェットエアー
６  植物
７  害虫
８  誘引光
８ＵＶＡ  ＵＶＡ誘引光
８Ｙ  黄色誘引光８Ｙ
８Ｂ  青色誘引光
８ＵＶＢ  ＵＶＢ誘引光
９    扉（第１の扉）
１０  扉（第２の扉）
１２  作業者（人）
１３  資材（物）
１６  選択スイッチ
２０  エアシャワー装置（除塵装置）
２０ａ  エアシャワー装置（除塵装置）
２１  エアシャワー室（室）
３０・３０ａ・３０ｂ  制御装置
３１・３１ｂ  外部側扉制御部
３２・３２ａ・３２ｂ  植物工場側扉制御部
３３・３３ａ・３３ｂ  誘引光制御部
３４  エア制御部
３５・３５ａ・３５ｂ  制御部
３７  スイッチ情報取得部
４０・４０ａ・４０ｂ  補虫機構
４１・４１ａ  ＬＥＤ基板
４２  ＬＥＤ素子（光源）
４２ＵＶＡ  ＬＥＤ素子（第１の光源）
４２Ｂ・４２Ｙ  ＬＥＤ素子（第２の光源）
４２ＵＶＢ  ＬＥＤ素子（第３の光源）
４２ａ  ＬＥＤ素子（第１の光源）
４３  光学シート
４４  透明粘着シート（捕獲部）
４４ｂ  粘着シート（捕獲部）
４４ｈ  開口部
４６・４８  補虫機構
５０・５０ａ  パスボックス装置（除塵装置）
５１・５１ａ  パスボックス室（室）
【図１】
2013118823.tif 000003
【図２】
2013118823.tif 000004
【図３】
2013118823.tif 000005
【図４】
2013118823.tif 000006
【図５】
2013118823.tif 000007
【図６】
2013118823.tif 000008
【図７】
2013118823.tif 000009
【図８】
2013118823.tif 000010
【図９】
2013118823.tif 000011
【図１０】
2013118823.tif 000012
【図１１】
2013118823.tif 000013
【図１２】
2013118823.tif 000014
【図１３】
2013118823.tif 000015
【図１４】
2013118823.tif 000016
【図１５】
2013118823.tif 000017
【図１６】
2013118823.tif 000018
【図１７】
2013118823.tif 000019
【図１８】
2013118823.tif 000020
【図１９】
2013118823.tif 000021
【図２０】
2013118823.tif 000022
【図２１】
2013118823.tif 000023
【図２２】
2013118823.tif 000024